(57)【要約】      （修正有）【課題】  記録媒体に映像ファイルを記録したり、再生及び編集する機能を提供する映像記録/再生装置において、メニュー画面を用いてユーザがその機能を容易に選択し操作できるようにし、ユーザが選択した機能によって映像ファイルを記録、再生及び編集する装置及びその制御方法を提供する。【解決手段】複数の静止画ファイル及び音響ファイルを記録媒体に記録及び再生し、再生時再生される音響ファイルリストを表示するプレイリスト画面を表示装置に提供し、プレイリスト画面の所定第１領域には記録された複数の静止画ファイルを交互に表示するよう支援する表示メニューが設けられ、記録された静止画ファイル及び音響ファイルをデコーディングするデコーダと、デコーディングされた静止画ファイル及び音響ファイルが貯蔵されるメモリと、貯蔵された一つの静止画ファイルがプレイリスト画面に表示されるよう処理するメイン制御部とを備える。【選択図】図２
2004215281.tif 000002
【特許請求の範囲】
【請求項１】
複数の静止画ファイル及び音響ファイルを記録媒体に記録及び再生し、前記音響ファイルの再生時再生される音響ファイルリストを表示するプレイリスト画面を表示装置に提供する映像記録/再生装置において、
前記プレイリスト画面の所定第１領域には前記記録装置に記録された前記複数の静止画ファイルを交互に表示するよう支援する表示メニューが設けられ、
前記記録装置に記録された前記静止画ファイル及び音響ファイルをデコーディングするデコーダと、
デコーディングされた前記静止画ファイル及び音響ファイルが貯蔵されるメモリと、
該メモリに貯蔵された前記音響ファイルが再生される間前記表示メニューが選択されれば前記デコーダが遊休状態の時前記記録媒体に記録された前記複数の静止画ファイルをデコーディングして前記メモリに貯蔵させ、貯蔵された前記少なくとも一つの静止画ファイルが前記プレイリスト画面の所定第２領域に交互に表示されるよう処理するメイン制御部とを含むことを特徴とする映像記録/再生装置。
【請求項２】
前記表示メニューが選択されれば、前記メイン制御部は前記音響ファイル目録に表示された音響ファイルと同一なフォルダーに記録された前記複数の静止画ファイルがデコーディングされるよう処理することを特徴とする請求項１に記載の映像記録/再生装置。
【請求項３】
複数の静止画ファイル及び音響ファイルを記録媒体に記録及び再生して表示装置に提供する映像記録/再生装置の制御方法において、
前記記録媒体に記録された前記音響ファイルに対する再生命令を印加する段階と、
前記音響ファイルのリストを表示するプレイリスト画面を表示し、前記音響ファイルをデコーディングして貯蔵する段階と、
貯蔵された前記音響ファイルが再生される間、前記プレイリスト画面の所定第１領域に設けられ前記記録装置に記録された前記複数の静止画ファイルを交互に表示させる表示メニューが選択される段階と、
貯蔵された前記音響ファイルが再生される間前記記録装置に記録された前記静止画ファイルをデコーディングして貯蔵する段階と、
前記音響ファイルが再生される間貯蔵された前記静止画ファイルを前記プレイリスト画面の所定第２領域に交互に表示する段階とを含むことを特徴とする映像記録/再生装置の制御方法。
【請求項４】
前記プレイリスト画面の前記表示メニューが選択されれば、前記複数の静止画ファイルの表示周期を設定する周期設定メニュー画面が表示される段階をさらに含み、前記複数の静止画ファイルは設定された周期によって前記所定第２領域に交互に表示されることを特徴とする請求項３に記載の映像記録/再生装置の制御方法。
【発明の詳細な説明】
【技術分野】
【０００１】
本発明は映像記録/再生装置及びその制御方法に係り、さらに詳しくは記録媒体に映像ファイルを記録したり、記録媒体に記録された映像ファイルを再生及び編集する機能を提供する映像記録/再生装置において、メニュー画面を用いてユーザがその機能を容易く選択し操作できるようにし、ユーザが選択した機能によって映像ファイルを記録、再生及び編集する映像記録/再生装置及びその制御方法に関する。
【背景技術】
【０００２】
映像記録/再生装置は映像ファイルを記録媒体に記録し、記録された映像ファイルを再生できる装置である。このような映像記録/再生装置の代表的な例として、ビデオカセットレコーダー(VCR)とデジタルビデオディスクプレーヤー(DVDP)が挙げられる。
【０００３】
最近、映像信号処理技術及び映像信号圧縮技術の発展に伴って、大衆の娯楽文化がオーディオ媒体中心からビデオ媒体中心に変っていくことにつれ、映像ファイルの使用頻度が増加するようになった。それにより、映像記録/再生装置に記録される映像ファイルの個数も増加するようになって、記録された映像ファイルを一層効率よく管理し容易く検索する方策が大事な関心事になった。
【０００４】
また、電子製品の多機能化の傾向に伴って、映像記録/再生装置も複雑化かつ多機能化されてきた。従って、映像記録/再生装置に設けられた多様な機能をユーザがさらに容易く選択し活用することが大事な技術的課題として擡頭された。
【発明の開示】
【発明が解決しようとする課題】
【０００５】
本発明は前述したような問題点を解決するために案出されたもので、本発明の第１の目的は記録媒体に映像ファイルを記録したり、記録媒体に記録された映像ファイルを再生及び編集する機能を提供する映像記録/再生装置において、メニュー画面を用いてユーザがその機能を容易く選択し操作できるようにし、ユーザが選択した機能によって映像ファイルを記録、再生及び編集する映像記録/再生装置及びその制御方法を提供するところにある。
【０００６】
さらに具体的には、本発明は記録媒体に記録された多数の映像ファイルのうちユーザによって選択されたファイルを読み取って表示したり再生できるランダムアクセスが可能な映像記録/再生装置及びその方法を提供するところにある。
【０００７】
本発明の第２の目的は、記録媒体に記録された映像ファイルのファイル名を修正できる映像記録/再生装置及びその方法を提供するところにある。
【０００８】
本発明の第３の目的は、記録媒体に記録された動映像ファイルをファイルリスト画面上に動映像で再生して表示できる映像記録/再生装置及びその方法を提供するところにある。
【０００９】
本発明の第４の目的は、記録媒体に記録された映像ファイルのファイルリストを表示するにおいて、映像ファイルの種類に応ずるアイコンを共に表示できる映像記録/再生装置及びその方法を提供するところにある。
【００１０】
本発明の第５の目的は記録媒体に記録された映像ファイルを貯蔵されている順序に従って連続的に再生できる映像記録/再生装置及びその方法を提供するところにある。
【００１１】
本発明の第６の目的は、映像ファイルをさらに容易に編集できる映像記録/再生装置及びその方法を提供するところにある。
【００１２】
本発明の第７の目的は、動映像ファイルについて部分削除の可能な映像記録/再生装置及びその方法を提供するところにある。
【００１３】
本発明の第８の目的は、映像ファイルが記録されたフォルダー名をユーザが容易く認識できるよう構図されたプレイリスト画面を提供する映像記録/再生装置及びその方法を提供するところにある。
【００１４】
本発明の第９の目的は、記録媒体に記録された映像ファイルのプレイリストを画面に表示し、表示されたプレイリストを用いて容易で迅速にファイルを選択できる映像記録/再生装置及びその方法を提供するところにある。
【００１５】
本発明の第１０の目的は、音楽ファイルが再生される間多様な静止画ファイルをディスプレイすることによってユーザに視聴覚的にさらに効率よく情報を提供できるスライドショー機能を有する映像記録/再生装置及びその方法を提供するところにある。
【００１６】
本発明の第１１の目的は、自動再生の可能なファイルが記録された記録媒体が挿入されればファイルの種類とは関係なく自動再生されるようにする自動再生の可能な映像記録/再生装置及びその方法を提供するところになる。
【００１７】
本発明の第１２の目的は、音楽ＣＤを再生する際、画面に音楽ＣＤに対する付加情報を表示する映像記録/再生装置及びその方法を提供するところにある。
【００１８】
本発明の第１３の目的は、光記録媒体に記録されたファイルを大容量の磁気記録媒体で複写する際、同一ファイル名を有するファイルについてはスキップして複写できる映像記録/再生装置及びその方法を提供するところにある。
【００１９】
本発明の第１４の目的は、ＣＤ−ＤＡ(Compact  Disk−Digital  Audio)規格を有するオーディオデータを圧縮貯蔵できる映像記録/再生装置及びその方法を提供するところにある。
【００２０】
本発明の第１５の目的は、静止画ファイルを所定の表示領域に表示する場合、所定の表示領域の画面サイズに基づき静止映像の画面サイズを適応的に調整して表示できる映像記録/再生装置及びその方法を提供するところにある。
【００２１】
本発明の第１６の目的は、ユーザが映像記録/再生装置で支援する機能を容易に選択及び操作できるようにするメニュー画面を提供する映像記録/再生装置及びその方法を提供するところにある。
【００２２】
本発明の第１７の目的は、外部から受信されるプログラムを同時に記録及び再生する時間遅延視聴機能を提供する場合、記録されたプログラムを必要に応じて最初から再び再生しつつ、かつ受信されるプログラムを記録し続けられる映像記録/再生装置及びその制御方法を提供するところにある。
【００２３】
本発明の第１８の目的は、ＤＶＤプログラムをハードディスクドライブに複写する場合、ＤＶＤのタイトル名を自動的にピックアップしてハードディスクドライブのユーザデータ領域(User  Data  Area)に記録できるようにする映像記録/再生装置及びその制御方法を提供するところにある。
【００２４】
本発明の第１９の目的は、ポインターで指定され分割されたハードディスクドライブ内の記憶領域にそれぞれのファイルをファイルの属性によって区別して貯蔵し、今まで貯蔵されたファイルの容量及び分割された記憶領域の残量をファイルの属性によって区別してディスプレイできる映像記録/再生装置及びその制御方法を提供するところにある。
【００２５】
本発明の第２０の目的は、ハードディスクドライブにアイコンデータを貯蔵し、関連するリンク情報をフラッシュメモリに貯蔵してフラッシュメモリを効率よく使え、またハードディスクドライブに貯蔵されているアイコンデータを用いてアイコンが動くアニメーション効果を導出できる映像記録/再生装置の制御方法を提供するところにある。
【００２６】
本発明の第２１の目的は、特定フォルダーに位置したファイルを選択してファイルリストにディスプレイでき、他のフォルダーや他の媒体に貯蔵されたファイルを選択してファイルリストにさらにディスプレイできる映像記録/再生装置及びその制御方法を提供するところにある。
【課題を解決するための手段】
【００２７】
前述した目的を達成するための本発明に係る複数の静止画ファイル及び音響ファイルを記録媒体に記録及び再生し、前記音響ファイルの再生時再生される音響ファイルリストを表示するプレイリスト画面を表示装置に提供する記録再生装置は、前記プレイリスト画面の所定第１領域には前記記録装置に記録された前記複数の静止画ファイルを交互に表示するよう支援する表示メニューが設けられ、前記記録装置に記録された前記静止画ファイル及び音響ファイルをデコーディングするデコーダと、デコーディングされた前記静止画ファイル及び音響ファイルが貯蔵されるメモリ、及び該メモリに貯蔵された前記音響ファイルが再生される間前記表示メニューが選択されれば前記デコーダが遊休状態の時前記記録媒体に記録された前記複数の静止画ファイルをデコーディングして前記メモリに貯蔵させ、貯蔵された前記少なくとも一つの静止画ファイルが前記プレイリスト画面の所定第２領域に交互に表示されるよう処理するメイン制御部とを含む。
【００２８】
そして、前記表示メニューが選択されれば、前記メイン制御部は前記音響ファイル目録に表示された音響ファイルと同一なフォルダーに記録された前記複数の静止画ファイルがデコーディングされるよう処理することができる。
【００２９】
一方、前述した目的を達成するための本発明に係る複数の静止画ファイル及び音響ファイルを記録媒体に記録及び再生して表示装置に提供する映像記録/再生装置の制御方法は、前記記録媒体に記録された前記音響ファイルに対する再生命令を印加する段階と、前記音響ファイルのリストを表示するプレイリスト画面を表示し、前記音響ファイルをデコーディングして貯蔵する段階と、貯蔵された前記音響ファイルが再生される間、前記プレイリスト画面の所定第１領域に設けられ、前記記録装置に記録された前記複数の静止画ファイルを交互に表示するようにする表示メニューが選択される段階と、貯蔵された前記音響ファイルが再生される間前記記録装置に記録された前記静止画ファイルをデコーディングして貯蔵する段階、及び前記音響ファイルが再生される間貯蔵された前記静止画ファイルを前記プレイリスト画面の所定第２領域に交互に表示する段階を含む。
【００３０】
そして、前記プレイリスト画面の前記表示メニューが選択されれば、前記複数の静止画ファイルの表示周期を設定する周期設定メニュー画面が表示される段階をさらに含み、前記複数の静止画ファイルは設定された周期によって前記所定第２領域に交互に表示されうる。
【発明の効果】
【００３１】
以上述べた通り、本発明によれば記録媒体に映像ファイルを記録したり、記録媒体に記録された映像ファイルを再生及び編集する機能を提供するに当たって、メニュー画面を用いてユーザがその機能を容易く選択し操作でき、記録された映像ファイルを一層効率よく管理しさらに容易く検索することができる。
【００３２】
さらに具体的には、本発明の第１実施例によれば、記録媒体に記録された多数の映像ファイルのうちユーザによって選択されたファイルを迅速に読み取って表示したり再生できるランダムアクセスが可能なので、さらに早いファイル検索が可能になる。
【００３３】
本発明の第２実施例によれば、記録媒体に記録された映像ファイルのファイル名を修正できて、所望のファイルを容易に検索することができる。
【００３４】
本発明の第３実施例によれば、記録媒体に記録された動映像ファイルをファイルリスト画面上に動映像で再生して表示できて、記録媒体に記録された映像ファイルをさらに検索できる。
【００３５】
本発明の第４実施例によれば、記録媒体に記録された映像ファイルのファイルリストを表示するにおいて、映像ファイルの種類に応ずるアイコンを共に表示できて、ユーザが映像ファイルの種類をさらに容易に把握できるようになる。
【００３６】
本発明の第５実施例によれば、記録媒体に記録された映像ファイルを貯蔵されている順序に従って連続的に再生でき、本発明の第６実施例によれば、映像ファイルをさらに容易に編集できるようになり、本発明の第７実施例によれば、動映像ファイルについて部分削除が可能になる。
【００３７】
本発明の第８実施例によれば、映像ファイルが記録されたフォルダー名をユーザが容易に認知できるように構図されたプレイリスト画面が提供されるため、ユーザは現在表示されたファイルが位置するフォルダーをさらに容易に認知できる。
【００３８】
また、本発明の第９実施例によれば、記録媒体に記録された映像ファイルのプレイリストを画面に表示し、表示されたプレイリストを用いて容易で迅速にファイルを選択できるようになり、本発明の第１０実施例によれば、音楽ファイルが再生される間多様な静止画ファイルをディスプレイすることによって、音楽再生とスライドショーを同時に具現することが可能である。
【００３９】
また、本発明の第１１実施例によれば、自動再生の可能なファイルが記録された記録が挿入されればファイルの種類とは無関係に自動再生されるため、記録媒体に記録されたファイルを再生するために別の操作を行なわず、一層簡便に再生できる。
【００４０】
本発明の第１２実施例によれば、音楽ＣＤ再生時、画面に音楽ＣＤに対する付加情報を表示できるので、ユーザは音楽ＣＤに対する情報が分かり、所望の曲を簡便に選択できる。
【００４１】
本発明の第１３実施例によれば、光記録媒体に記録されたファイルを大容量の磁気記録媒体で複写する時、同一ファイル名を有するファイルについてはスキップして複写することができる。
【００４２】
本発明の第１４実施例によれば、ＣＤ-ＤＡ規格を有するオーディオデータを圧縮貯蔵できて、記録媒体をさらに効率よく使用できる。
【００４３】
本発明の第１５実施例によれば、静止画ファイルを所定の表示領域に表示する場合、所定の表示領域の画面サイズに基づき静止映像の画面サイズを適応的に調整して表示できて、表示領域に適した画面縦横比及び/または画面サイズを有する静止映像を表示することによって美観上さらに自然な視覚的効果を提供するサムネイルを具現することができる。
【００４４】
本発明の第１６実施例によれば、ユーザが映像記録/再生装置で支援する機能を容易に選択及び操作できるようにするメニュー画面を提供するので、ユーザは一層容易にキー操作ができるようになる。
【００４５】
本発明の第１７実施例によれば、時間遅延視聴機能によって現在視聴中のプログラムが臨時記録されている場合、具備された短縮キーによって臨時記録されたプログラムの最初記録位置で一気にリターンすることが可能である。これにより、複雑なキー操作なしに臨時記録されたプログラムを最初から再び視聴することが可能なので、ユーザの時間遅延視聴機能に対する便宜性を向上させうるという長所がある。
【００４６】
また、本発明の第１８実施例によれば、ＤＶＤ複写の場合映像情報を記録する際、先にユーザデータ(User  Data)領域にタイトル名を記録し、ハードディスクドライブにユーザデータを記録することによって貯蔵されたプログラムに対するタイトル名を自動的に提供できる長所がある。
【００４７】
本発明の第１９実施例によれば、ファイルの種類に応じてポインターで指定されたハードディスクドライブ内の記憶領域にそれぞれのファイルを区分して貯蔵し、区分され貯蔵されたファイルの容量及び分割された記憶領域の残量を各ファイルによって区別してディスプレイできるという長所がある。
【００４８】
本発明の第２０実施例によれば、フラッシュメモリを効率よく使用できるようにすると同時に、単純にハードディスクドライブに貯蔵されている停止されたアイコンを用いて動くアニメーション効果を提供できる長所がある。
【００４９】
本発明の第２１実施例によれば、所望のファイルだけを選択的に実行させたり、他のフォルダーや他の媒体に位置したファイルをさらに選択してディスプレイ及び実行することができる長所がある。 
【発明を実施するための最良の形態】
【００５０】
以下、添付した図面に基づき本発明の望ましい実施例による映像記録/再生装置をさらに詳述する。
【００５１】
図１は本発明の映像記録/再生装置が適用されるディスプレイシステムを示す図である。
【００５２】
同図を参照すれば、映像記録/再生装置１００はディスプレイ装置であるテレビ３００と伝送ケーブル３５０によって接続されている。
【００５３】
映像記録/再生装置１００は外部入力装置である遠隔制御器２００から受信された信号を処理し、表示情報をテレビ３００に伝送する。ここで、外部入力装置は赤外線のような無線信号を送出する遠隔制御器２００だけではなく、有線方式のキーボードのような他の入力装置も適用できることは勿論である。
【００５４】
映像記録/再生装置１００は多数個の映像ソースから提供される映像信号を少なくとも一つ以上受信できるよう構築される。映像ソースの例としては地上波テレビ放送、衛星放送、ケーブル引込線、コンピュータ線またはモデム線のように信号を伝送できる他の媒体を含める。
【００５５】
すなわち、ケーブル、衛星皿型アンテナ(satellite  dish)、ローカルケーブル(local  cable)、デジタル放送ソース(ＤＢＳ:デジタルブロードキャストソース)、一般のアンテナ、インターネット、他のコンピュータソース、カムコーダ、ディスクプレーヤ、セットトップボックスなどのような映像ソースのうち少なくとも一つ以上を受信できるよう構築された映像記録/再生装置１００に後述する本発明が適用される。
【００５６】
また、映像記録/再生装置１００は受信した映像信号の記録のために大容量記憶装置を備える。大容量記憶装置としてハードディスクドライブ(ＨＤＤ)を使用できる。
【００５７】
図２はこのような映像記録/再生装置の一実施例によるブロック図である。図２を参照すれば、映像記録/再生装置１００は入出力端子部１１０、チューナ１２１、スイッチング部１２３、入出力制御部１２５、ビデオデコーダ１３１、オーディオＡ/Ｄ変換部１３３、オーディオＤ/Ａ変換部１３５、ビデオエンコーダ１３７、ＭＰＥＧエンコーダ１４１、ＨＤＤ１５１、ディスクプレーヤ１５５、データ管理部１５７、メイン制御部１６０、フラッシュメモリ１６５、受光部１７１及びＳＤＲＡＭ１４３、１６７を備える。
【００５８】
入出力端子部１１０は多様な映像信号ソースから生成された映像信号を受信し、受信された映像信号またはＨＤＤ１５１から再生された映像信号を出力できるようになっている。
【００５９】
入出力端子部１１０はスーパービデオ入力端子(S-V  IN)１１１及び出力端子(S-VOUT)１１２、ＲＦ入力端子(RF  IN)１１３及び出力端子(RF  OUT)１１４、ラインビデオ/オーディオ入力端子(LINE  V_IN、LINE  A_IN)１１５及び出力端子(LINE  V_OUT、LINE  A_OUT)１１６、デジタルオーディオ信号出力端子(SPDIF;Serial  Parallel  Digital  interface)１１７が設けられている。
【００６０】
スーパービデオ入力端子１１１はデジタル形態の相互分離された輝度信号Ｙと色差信号Ｃｒ、Ｃｂを受信する端子であって、デジタルカムコーダ、ＤＶＤプレーヤ、セットトップボックスなどと連結され利用される。
【００６１】
スーパビデオ出力端子１１２はデジタル形態の相互分離された輝度信号Ｙと色差信号Ｃｒ、Ｃｂをテレビ３００に送信する端子である。 
ＲＦ入力端子１１３は空中波放送信号を受信する端子であって、通常アンテナと接続される。
【００６２】
ＲＦ出力端子１１４は後述するチューナ１２１によって選局された放送信号を外部に送信する端子であって、通常テレビ３００と接続される。
【００６３】
ラインビデオ/オーディオ入力端子１１５は輝度信号Ｙと色信号が混合されたアナログ上の信号を受信する端子であって、アナログ映像信号の出力を支援するカムコーダ、ＤＶＤプレーヤ、セットトップボックスなどと連結され利用される。
【００６４】
ラインビデオ/オーディオ出力端子１１６は輝度信号Ｙと色信号が混合されたアナログ上の信号を送信する端子であって、アナログ映像信号のディスプレイを支援するテレビ３００と接続される。
【００６５】
デジタルオーディオ出力端子１１７はメイン制御部１６０から伝送されるデジタルオーディオ信号を外部に出力する端子である。
【００６６】
チューナ１２１はメイン制御部１６０によって制御される入出力制御部１２５で要請するチャンネルの放送信号がＲＦ入力端子１１３を通して受信できるよう受信チャンネルを調整する。
【００６７】
スイッチング部１２３は入出力制御部１２５に制御され、スイッチング部１２３に接続された入出力端子相互間について選択的に連結されるよう制御する。
【００６８】
ビデオデコーダ１３１はメイン制御部１６０に制御され、スーパービデオ入力端子１１１またはスイッチング部１２３を通して受信された信号をデコーディングして出力する。
【００６９】
オーディオＡ/Ｄ変換部１３３はスイッチング部１２３を経て入力されるアナログオーディオ信号をデジタルオーディオ信号に変換する。
【００７０】
ＭＰＥＧエンコーダ１４１はメイン制御部１６０に制御され、オーディオＡ/Ｄ変換部１３３から出力されるオーディオ信号とビデオデコーダ１３１から出力されるビデオ信号を設定された圧縮フォーマット方式によってエンコーディングし、記録対象データについてはＨＤＤ１５１に記録する。望ましくはＭＰＥＧエンコーダ１４１はＭＰＥＧ-２圧縮フォーマットによってエンコーディングする。
【００７１】
第１ＳＤＲＡＭ１４３はＭＰＥＧエンコーダ１４１でエンコーディング処理時使われるメモリである。
データ管理部１５７はＨＤＤ１５１及び/またはディスクプレーヤ１５５に記録されたデータの再生及び記録に対する管理を行なう。すなわち、データ管理部１５７はメイン制御部１６０に制御され、ディスクプレーヤ１５５に記録されたデータのＨＤＤ１５１への記録、ＨＤＤ１５１に記録されたデータのディスクプレーヤ１５５への記録及びＭＰＥＧエンコーダ１４１でエンコーディングされたデータのＨＤＤ１５１への記録を管理する。
【００７２】
ディスクプレーヤ１５５は映像記録/再生装置１００に内蔵されており、メイン制御部１６０に制御され記録/再生動作を行なえる。ディスクプレーヤ１５５の一例として、ＤＶＤ及び/またはＣＤに記録されたデータを再生するためにローディングするＤＶＤプレーヤが適用されうる。
【００７３】
受光部１７１はインタフェースとして適用されたもので、外部入力装置である遠隔制御器２００から送出されたユーザ操作信号を受信してメイン制御部１６０に出力する。
【００７４】
メイン制御部１６０は受光部１７１を通して受信されたユーザ操作信号を処理し、各要素を制御する。
【００７５】
メイン制御部１６０は中央処理装置(ＣＰＵ)１６１とＭＰＥＧ方式で圧縮された信号をデコーディングするＭＰＥＧデコーダ１６３が複合され単一のチップ形態のＩＣよりなっている。ＭＰＥＧデコーダ１６３は別のチップに分離されメイン制御部１６０と接続できることは勿論である。
【００７６】
フラッシュメモリ１６５にはメイン制御部１６０の機能遂行と関連する各種プログラムとデータが記録されている。フラッシュメモリ１６５にはメニュー画面の処理を行なうプログラムが貯蔵されたＧＵＩ(Graphic  User  Interface)貯蔵部１６５ａが設けられている。
【００７７】
第２ＳＤＲＡＭ１６７はメイン制御部１６１に連結され一時的記憶場所として利用される。
【００７８】
オーディオＤ/Ａ変換部１３５はメイン制御部１６０のＭＰＥＧデコーダ１６３から出力されるデジタルオーディオ信号をアナログオーディオ信号に変換してスイッチング部１２３に出力する。
【００７９】
ビデオエンコーダ１３７はビデオデコーダ１３１またはＭＰＥＧデコーダ１６３から出力されるビデオ信号をエンコーディングしてスイッチング部１２３に出力する。
【００８０】
入出力制御部１２５はメイン制御部１６０によって制御され、チューナ１２１、スイッチング部１２３を制御する。
【００８１】
このような映像記録/再生装置１００でメイン制御部１６０は起動時フラッシュメモリ１６５に搭載された運営プログラムをローディングして支援される各種機能を遠隔制御器２００から受光部１７１を通して受信された信号に対応して処理する。
【００８２】
このような映像記録/再生装置のＨＤＤ１５１の貯蔵空間が分割された構造が図３に示されている。
【００８３】
ＨＤＤ１５１の貯蔵空間は図３に示した通り、動映像ファイル、静止画ファイル及び音響ファイルに対する付加情報のようなユーザデータ(User  Data)が記録されるユーザＤ/Ｂ領域１５２及びＭＰＥＧエンコーダ１４１でエンコーディングされた映像及び/または音響データであるＧＯＰ(Group  of  Pictures)データが記録されるデータ記録領域１５３に分離されている。
【００８４】
ユーザＤ/Ｂ領域１５２には動映像ファイル、静止画ファイル及び音響ファイルが記録された位置情報であるヘッダ(Header)情報と、前記ファイルに対する付加情報が記録される。ここで、ユーザＤ/Ｂ領域１５２に記録される付加情報は前記ファイルに対するタイトル情報、ソース情報、ファイル名情報、ファイル再生長さ情報、編集時間情報及び再生時間情報などを含む。そして、編集時間情報には編集対象ファイルが記録された年(Year)、月(Month)、日(Date)、時(Hour)、分(Minute)及び秒(Second)に対する情報が含まれる。
【００８５】
以下、映像記録/再生装置１００の外部入力装置である遠隔制御器２００が示された図４を参照して、メニュー画面の操作と関連する要素を中心に説明する。図４において、参照符号２１１はメニュー画面のローディング及びクロージング(closing)を指示する際利用される'メニューキー'であり、参照符号２１３、２１５、２１７、２１９で表記された部分はメニュー画面に表示されたメニュー項目に対するカーソルの移動を指示するのに利用される'左右上下方向キー'である。また、参照符号２２１はメニューを選択する際利用される'エンターキー'であり、参照符号２２３は現在画面から以前画面に戻そうとする際利用される'リターンキー'である。
【００８６】
その他の残りキーは映像記録/再生装置１００及びテレビ３００などを操作するために知られたキーであって、該当キーと隣接して表示された文字を通してキーの機能を容易く理解でき、各キーの機能に対する詳細な説明を省略しても本発明を理解するのに差し支えないため詳細な説明は省く。
【００８７】
映像記録/再生装置１００の機能選択はメニュー画面をテレビ３００に表示し、遠隔制御器２００を用いてメニュー画面に表示されたメニュー項目のうちいずれか一つを選択することによってなされる。
【００８８】
以下、ユーザがメニュー画面を要請した場合、メイン制御部１６０がＧＵＩ貯蔵部１６５ａに貯蔵されたメニュー画面処理プログラムを実行してテレビ３００と接続された出力端子、例えばラインビデオ/オーディオ出力端子１１６を通してテレビ３００に提供されるメニュー画面について図５ないし図８を参照して説明する。
【００８９】
テレビ３００に初期メニュー画面を表示するためには、遠隔制御器２００の'メニューキー'２１１を押すべきである。図５はテレビ３００に表示される初期メニュー画面の一例を示した図である。  図５を参照すれば、初期メニュー画面４００は垂直方向に上段領域４１０、中段領域４３０及び下段領域４５０に区画されている。そして、各領域は水平方向に第１ブロック４１１、４３１、４５１及び第２ブロック４１３、４３３、４５３に区分される。
【００９０】
上段領域の第１ブロック４１１には初期メニュー画面４００を示す“MENU”が表示されており、中段領域の第１ブロック４３１には初期メニュー項目が表示される。そして、下段領域の第１ブロック４５１には初期メニュー画面４００の利用と関連する遠隔制御器２００のキー操作情報を示す“Instruction”が表示されており、下段領域の第２ブロック４５３には遠隔制御器２００に設けられたキー及びその機能が表示される。
【００９１】
中段領域の第１ブロック４３１に表示される初期メニュー項目には、ＨＤＤ１５１に記録されたファイルの管理のための“Digital  Recorder”メニュー項目５１０、ディスクプレーヤ１５５の使用環境を設定するための“DVD  Player”メニュー項目５２０、ＨＤＤ１５１に記録されたファイルとディスクプレーヤ１５５で読み出されたファイルのうち音響ファイルの管理のための“Juke  Box”メニュー項目５３０、ＨＤＤ１５１に記録されたファイルとディスクプレーヤ１５５で読み出されたファイルのうち静止画ファイルの管理のための“Photo  Album”メニュー項目５４０及び映像記録/再生装置１００の環境設定のための“Set  Up”メニュー項目５５０が含まれる。
【００９２】
初期メニュー画面４００で遠隔制御器２００の'上下方向キー'２１７、２１９を用いて、中段領域第１ブロック４３１に表示された初期メニュー項目５１０〜５５０のうちいずれか一つにカーソルを位置させ'エンターキー'２２１を押せば、カーソルが位置した初期メニュー項目が選択される。
【００９３】
選択された初期メニュー項目に対するサブメニューが存在する場合はそのサブメニューが中段領域の第２ブロック４３３に表示される。もし、選択された初期メニュー項目に対するサブメニューが存在しない場合は選択された初期メニュー項目に該当する機能が実行される。
【００９４】
図６には、図５に示された初期メニュー項目５１０〜５５０のうち“Digital  Recorder”メニュー項目５１０が選択され、中段領域の第２ブロック４３３に“Digital  Recorder”メニュー項目５１０のサブメニューとして、ＨＤＤ１５１に貯蔵された映像ファイルのリストを示すための“Program  List”メニュー項目５１１、特定プログラム(例えば、成人プログラム)に対する視聴を制限するための“Parental  Lock”メニュー項目５１２、ＨＤＤ１５１に貯蔵された映像ファイルを編集するための“Edit”メニュー項目５１３及び既に設定された時間によって放送プログラムを録画するための“Recording”メニュー項目５１４が表示された画面を示した。
【００９５】
図７には、図６に示されたサブメニュー項目５１１〜５１４のうち“Edit”メニュー項目５１３が選択され、中段領域の第２ブロック４３３に“Edit”メニュー項目５１３のサブメニューとして、ＨＤＤ１５１に記録されたファイルを選択して一つのファイルに結合するための“Combine”メニュー項目５１３ａ、一つのファイルを二つ以上のファイルに分割するための“Divide”メニュー項目５１３ｂ、ハードディスク１５１に記録されたファイルのうちいずれか一つを削除するための“Delete”メニュー項目５１３ｃ及びハードディスク１５１に記録されたファイルの一部分を削除するための“Partial  Delete”メニュー項目５１３ｄが付加的に表示された画面を示した。
【００９６】
図８には、図５に示された初期メニュー項目５１０〜５５０の中から“Juke  Box”メニュー項目５３０が選択され、中段領域の第２ブロック４３３に“Juke  Box”メニュー項目５３０のサブメニューとして、ＨＤＤ１５１に記録されたファイルのうち音響ファイルのリストを示すための“HDD  Playlist”メニュー項目５３１、ＨＤＤ１５１に記録されたファイルのうち音響ファイルを編集するための“HDD  Edit”メニュー項目５３２、ディスクプレーヤ１５５に挿入されたＣＤに記録されたファイルのうち音響ファイルのリストを示すための“CD  Playlist”メニュー項目５３３、ＣＤに記録された音響ファイルをＨＤＤ１５１に複写するための“CD  Copy  to  HDD”メニュー項目５３４が表示された画面を示した。
【００９７】
図９には、図５に示された初期メニュー項目５１０〜５５０のうち“Photo  Album”メニュー項目５４０が選択され、中段領域の第２ブロック４３３に“Photo  Album”メニュー項目５４０のサブメニューとして、ＨＤＤ１５１に記録されたファイルのうち静止画ファイルのリストを示すための“HDD  Playlist”メニュー項目５４１、ＨＤＤ１５１に記録されたファイルのうち静止画ファイルを編集するための"HDD Edit"メニュー項目５４２、ディスクプレーヤ１５５に挿入されたＣＤに記録されたファイルのうち静止画ファイルのリストを示すための“CD  Playlist”メニュー項目５４３、ＣＤに記録された静止画ファイルをＨＤＤ１５１に複写するための“CD  Copy  to  HDD“メニュー項目５４４が表示された画面を示した。
【実施例１】
【００９８】
以下、図１０ないし図１４を参照して、本発明の第１実施例である記録装置に記録された多数の映像ファイルのうちユーザによって選択されたファイルを読取って表示したり再生できるランダムアクセス機能について説明する。
【００９９】
まず、図６に示されたメニュー項目５１１〜５１４のうち“Program  List”メニュー項目５１１を選択すれば、テレビ３００には図１０のようなプログラムリスト画面が表示される。プログラムリスト画面には各ファイルの全映像のうち所定部分で抜粋した静止画面情報６０１、タイトル情報６０２、記録日付情報６０３及びファイルの全長に該当する再生所要時間情報６０４が表示される。
【０１００】
プログラムリスト画面にリストアップされたファイル項目のうちいずれか一つにカーソルを位置させてエンターキー２２１を押せば、メイン制御部１６０はカーソルが位置したファイルが再生されるよう処理する。
【０１０１】
さらに詳しく説明すれば、メイン制御部１６０はプログラムリスト画面にリストアップされたファイル項目のうち"Art"ファイル項目の選択信号が受信されれば、ＨＤＤ１５１のユーザＤ/Ｂ領域１５２に記録された"Art"の付加情報を用いてＨＤＤ１５１のデータ記録領域１５３に記録されている"Art"ファイルの開始位置を検索する。そして、メイン制御部１６０は検索されたファイルが再生されるよう処理する。
【０１０２】
これと関わる他の例として、“Juke  Box”メニュー項目に例えてＨＤＤ１５１に記録されたファイルをアクセスする方法について説明する。まず、図８に示されたメニュー項目５３１〜５３４のうち“HDD  Playlist”メニュー項目５３１を選択すれば、テレビ３００には図１１のようなプレイリスト画面が表示される。
【０１０３】
図１１を参照すれば、ＨＤＤ１５１の“Root”フォルダーの下位フォルダーとして'MP３'フォルダー、“MP3+PHOTO”フォルダー及び“PHOTO”フォルダーが表示されている。プレイリスト画面にリストアップされた下位フォルダーのうち再生対象フォルダーを選択するためには遠隔制御器２００を操作してカーソルを該当フォルダーに位置させた後'エンターキー'２２１を押すべきである。
【０１０４】
メイン制御部１６０はプレイリスト画面にリストアップされた下位フォルダーのうちいずれか一つのフォルダーに対する選択信号が受信されれば、選択されたフォルダーに記録された音響ファイルリストがリストアップされるよう処理する。例えば、プレイリスト画面にリストアップされた下位フォルダーのうち“MP３”フォルダーが選択された場合、メイン制御部１６０はＨＤＤ１５１のユーザＤ/Ｂ領域１５２に記録された“MP３”フォルダーに対する付加情報を用いて“MP３”フォルダーに記録された音響ファイルのリストがリストアップされるよう処理する。これにより、プレイリスト画面には図１２のように“MP３”フォルダーに記録された音響ファイルリストがリストアップされる。
【０１０５】
プレイリスト画面にリストアップされた複数の音響ファイルリストのうち遠隔制御器２００を操作して再生しようとする音響ファイルを選択する。選択された音響ファイルは音響ファイル名の隣にチェックされる
【０１０６】
【数１】
2004215281.tif 000003
表示によって分かる。
【０１０７】
例えば、ユーザによって選択された'Take  it  Easy'音響ファイルに対する再生要請信号が受信されれば、メイン制御部１６０はＨＤＤ１５１のユーザＤ/Ｂ領域１５２に記録されている'Take  it  Easy'音響ファイルの付加情報を用いて、ＨＤＤ１５１のデータ記録領域１５３に記録されている音響ファイルを検索して再生されるよう処理する。
【０１０８】
また、図９に示された“Photo  Album”メニュー項目５４０の“HDD  Playlist”メニュー項目５４１を選択して、ＨＤＤ１５１に記録された静止画ファイルリストについてもランダムアクセスが可能なことは勿論である。
【０１０９】
以下、本実施例によるランダムアクセスが可能な映像記録/再生装置の制御方法を図１３及び図１４を参照して説明する。
【０１１０】
まず、図１３を参照してファイル記録過程を説明すれば、メイン制御部１６０は受光部１７１を通して記録要請信号が受信されたか否かを判断する(Ｓ７００)。Ｓ７００段階で、記録要請信号が受信されたことと判断されれば、メイン制御部１６０は記録対象ファイルに対する記録位置情報、タイトル情報、ファイル名情報及び再生時間情報などを含む付加情報を作成する(Ｓ７１０)。
【０１１１】
Ｓ７１０段階によって記録対象ファイルに対する付加情報が生成されれば、メイン制御部１６０は記録対象ファイルについてはＨＤＤ１５１のデータ記録領域１５３に記録されるよう処理し、付加情報についてはＨＤＤ１５１のユーザＤ/Ｂ領域１５２に記録されるよう処理する(Ｓ７２０)。
【０１１２】
次いで、図１４を参照して前述したような方法によってＨＤＤ１５１に記録されたファイルをアクセスする過程を説明する。本実施例ではＨＤＤ１５１に記録されたファイルをアクセスする過程について、図６に示されたメニュー項目５１１〜５１４のうち“Program  List”メニュー項目５１１を選択された場合に例えて説明する。
【０１１３】
受光部１７１を通してメニューキー２１１信号が受信されれば(Ｓ８００)、メイン制御部１６０はテレビ画面を通して図５に示された初期メニュー画面４００が表示されるよう処理する(Ｓ８１０)。図５に示した初期メニュー項目のうち“デジタルレコーダ”メニュー項目５１０が選択されれば(Ｓ８２０)、図６に示した通り、“デジタルレコーダ”メニュー項目５１０のサブメニューが表示される(Ｓ８３０)。
【０１１４】
図６に示されたサブメニュー項目のうち“プログラムリスト”メニュー項目５１１が選択されれば(Ｓ８４０)、メイン制御部１６０はテレビ３００の画面を通して図１０に示されたプログラムリスト画面が表示されるよう処理する(Ｓ８５０)。
【０１１５】
プログラムリスト画面にリストアップされたファイル項目のうちユーザによって再生対象ファイルが選択されれば(Ｓ８６０)、メイン制御部１６０はＨＤＤ１５１のユーザＤ/Ｂ領域１５２に記録された再生対象ファイルの付加情報を用いてＨＤＤ１５１のデータ記録領域１５３の記録位置を検索する(Ｓ８７０)。そして、メイン制御部１６０は検索された位置に該当するファイルが再生されるよう処理する(Ｓ８８０)。
【０１１６】
一方、Ｓ８２０、Ｓ８４０及びＳ８６０段階で各選択信号が受信されなければ、それぞれＳ８２５、Ｓ８４５及びＳ８６５段階のように遊休状態(idle)を維持する。
【実施例２】
【０１１７】
以下、図１５ないし図１９を参照して、本発明の第２実施例である記録媒体に記録された映像ファイルのファイル名を修正する機能について説明する。
【０１１８】
ここで、ユーザがファイル名の修正を希望するファイルをファイル名修正前ファイルと、修正後のファイルをファイル名修正ファイルと、ファイル名の修正を希望するファイルの修正前ファイル名を修正前ファイル名と、ファイル名の修正後ファイル名を修正ファイル名として定義する。
【０１１９】
まず、図６に示されたメニュー項目５１１〜５１４のうち“Program  List”メニュー項目５１１を選択すれば、テレビ３００には図１０のようなプログラムリスト画面が表示される。その後、遠隔制御器２００の'テキストキー'２１０を押せば、図１５に示した通り、仮想入力メニュー９００が画面に表示される。
【０１２０】
仮想入力メニュー９００はキーボードメニュー部９１０、入力ウィンドウ９２０及び出力ウィンドウ９３０を含む。
【０１２１】
キーボードメニュー部９１０は文字メニュー、数字メニュー及び記号メニューを含んでおり、本実施例では前記キーを文字メニュー９１２と定義する。また、文字メニュー９１２の選択によって入力ウィンドウ９２０に修正ファイル名を入力した場合、入力した修正ファイル名にファイル名がアップデートされるよう命令するための入力メニュー９１１を含む。
【０１２２】
入力ウィンドウ９２０は遠隔制御器２００の操作を通して文字メニュー９１２を選択した場合に文字メニュー９１２に対応する文字が表示されるウィンドウである。本実施例では入力ウィンドウ９２０以外に出力ウィンドウ９３０も具備しているため、仮想入力メニュー９００が画面に表示される場合に入力ウィンドウ９２０にカーソルが備えられる。但し、出力ウィンドウ９３０が別に備えられていない場合は入力ウィンドウ９２０に修正前ファイル名が表示できるようにすることが望ましい。
【０１２３】
出力ウィンドウ９３０は修正前ファイル名が表示されるウィンドウである。
【０１２４】
図１９は本実施例による、記録媒体に記録された映像ファイルのファイル名を修正できる映像記録/再生装置の制御方法の説明に提供されるフローチャートである。
【０１２５】
図１９を参照すれば、図６に示されたメニュー項目５１１〜５１４のうち“Program  List”メニュー項目５１１が選択されれば、テレビ３００には図１０に示した通りＨＤＤ１５１に記録されたファイルのリストが中段領域４３０にリストアップされる(Ｓ１１１０)。この際、中段領域４３０にリストアップされ示されたファイルに対する情報はＨＤＤ１５１のユーザＤ/Ｂ領域１５２から第２ＳＤＲＡＭ１６７に記録される(Ｓ１１２０)。ユーザはファイル名修正前ファイルに遠隔制御器２００の操作によってカーソルを位置させれば、該当ファイル項目はハイライトされる(Ｓ１１３０)。
【０１２６】
そして、遠隔制御器２００のテキストキー２１０を選択して仮想入力メニュー９００をテレビ３００に表示する命令をメイン制御部１６０に入力させれば(Ｓ１１４０)、テレビ３００に仮想入力メニュー９００が表示される。この際、図１５に示した通り、仮想入力メニュー９００に備えられた出力ウィンドウ９３０には修正前ファイル名が出力され、入力ウィンドウ９２０にはカーソルが位置されている(Ｓ１１５０)。
【０１２７】
ユーザは図１６に示した通り、修正ファイル名('Tiger')を入力し入力メニュー９１１を選択すれば(Ｓ１１６０)、第２ＳＤＲＡＭ１６７に記録されたファイル名が修正ファイル名によってアップデートされ(Ｓ１１７０)、ＨＤＤ１５１のユーザＤ/Ｂ領域１５２に記録される(Ｓ１１８０)。それから、図１７に示した通り、映像データファイルのタイトル情報６０２が修正される。
【０１２８】
また、図８に表示されたメニュー項目５３１〜５３４のうち“HDD  Edit”メニュー項目５３２または図９に示されたメニュー項目５４１〜５４４のうち“HDD  Edit”メニュー項目５４２を選択してファイル名を修正することも可能である。これらのうち前者について、図１８を参照して説明する。図１８は図８に示された“HDD  Edit”メニュー項目５３２を選択した場合に表示されるメニュー画面である。
【０１２９】
前述したファイル名の変更方法との相違点は、遠隔制御器２００のテキストキー２１０を選択して仮想入力メニュー９００を表示せず、HDD  Edit画面の右側領域に設けられたファイル名修正マーク(Rename)１０００によって仮想入力メニュー９００をテレビ３００に表示してファイル名を修正するという点である。また、フォルダーメークマーク(Make folder)１０１０によって生成されたフォルダーについては、初期にデフォルト値(default)１０３０によってフォルダー名が定まるので、フォルダーメークマーク１０１０を選択した状態でファイル名修正マーク１０００を選択して仮想入力メニュー９００を表示してフォルダー名を修正すれば良い。
【０１３０】
従って、本発明によれば既存のファイル名をユーザが希望するファイル名に修正できる。
【実施例３】
【０１３１】
以下、図２０を参照して、本発明の第３実施例である記録媒体に記録された動映像ファイルをファイルリスト画面上に動映像で再生して表示する機能について説明する。
【０１３２】
図２０は記録媒体に記録された動映像ファイルをファイルリスト画面上に動映像で再生して表示できる映像記録/再生装置の制御方法の説明に提供されるフローチャートである。
【０１３３】
まず、図４の'メニューキー'２１１が押されると(Ｓ１２１０)、テレビ３００には図５に示したような、初期メニュー画面４００が表示される(Ｓ１２２０)。その後、図５に示されたメニュー項目５１０〜５５０のうち“Digital  Recorder”メニュー項目５１０を選択すれば、図６に示した通り“Digital  Recorder”メニュー項目５１０のサブメニュー項目５１１〜５１４が表示される。このサブメニュー項目５１１〜５１４のうち“Program  List”メニュー項目５１１を選択すれば(Ｓ１２３０)、図１０に示されたメニュー画面が表示される(Ｓ１２４０)。
【０１３４】
次いで、図１０に示されたメニュー画面で示された多数のファイル項目のうちいずれか一つにカーソルを位置させれば(Ｓ１２５０)、カーソルが位置したファイル項目に対応する映像データがＨＤＤ１５１から呼出される(Ｓ１２６０)。
【０１３５】
ファイル項目の静止画面情報６０１はＨＤＤ１５１に記録されたファイルの一番目開始フレーム、すなわちＩフレームを再生したものであるが、カーソルが位置したファイル項目については、ＨＤＤ１５１から該当ファイルの映像データをロードして再生する(Ｓ１２７０)。従って、静止画面情報６０１には動映像が再生され、再生される動映像のサイズは静止画面情報６０１のサイズと同一である。一方、カーソルを他のファイル項目に移動させれば、既存にカーソルが位置していたファイル項目に対する動映像は再生が中断され、新たにカーソルが位置したファイル項目に対する動映像が画面に再生される。
【０１３６】
この際、再生が中断されたファイル項目には元の通り最初Ｉフレームの静止映像が表示される。
【０１３７】
動映像をさらに迅速に再生しようとすれば、遠隔制御器２００に具備される方向キー２１３、２１５を押して倍速設定することによってこれを具現できる。例えば、左方向キー２１３を一度押せば１/２倍速、もう一度押せば１/４倍速のように設定され、同一な方法で右方向キー２１５を一度押せば２倍速、もう一度押すと４倍速のように設定される。
【実施例４】
【０１３８】
以下、図２１及び図２２を参照して、本発明の第４実施例である記録媒体に記録された映像ファイルのファイルリストを表示するにおいて、映像ファイルの種類に応ずるアイコンを共に表示する機能について説明する。
【０１３９】
まず、図６に示されたメニュー項目５１１〜５１４のうち“Program  List”メニュー項目５１１を選択すれば、テレビ３００には図２１のようなプログラムリスト画面が表示される。図２１に示されたプログラムリスト画面は前述した図１０に示されたプログラムリストとは違う形式である。このように映像記録/再生装置１００はプログラムリスト画面でとして図１０に示した形式のリスト以外に、図２１に示した形式のリストを提供できるが、提供されるリスト形式はユーザが予め設定することができる。
【０１４０】
図２１に示されたプログラムリスト画面の中段領域４３０にはＨＤＤ１５１に記録されたデコーディングの可能なファイルのファイル名及びアイコンが表示される。
【０１４１】
通常、ＨＤＤ１５１には多数のファイルを記録することができる。殆んどのファイルは拡張子を有しており、この拡張子はそのファイルがいずれの形式と種類のファイルであるかを示す因子として使用される。
【０１４２】
同一なオーディオファイルであっても'mp３'、'wma'、'wav'などの相違の拡張子を有する多数のファイルで記録でき、オーディオファイルだけではなく動映像ファイルまたは静止画ファイル、テキストファイルなど他の特性を有するファイルも相異なる拡張子で記録できる。すなわち、次の表１のように動映像ファイル、静止画ファイル及びオーディオファイルそれぞれに対する相異なる拡張子を有することもできる。
【０１４３】
【表１】
2004215281.tif 000004
表１のような拡張子を有する動映像ファイル、静止画ファイル及びオーディオファイルはディスプレイが可能なファイルに区分づけられ、通常修正及び変更それから記録が可能なようにフラッシュメモリ１６５に記録される。表１のように、動映像ファイルは'*．mpg'形式で、写真のような静止映像ファイルは'*．jpg'形式で、音楽のような音響データは'*．wav'形式で記録されＨＤＤ１５１に記録でき、またディスプレイされる。
【０１４４】
図２２は本実施例による記録媒体に記録された映像ファイルのファイルリストを表示するにおいて、映像ファイルの種類に応ずるアイコンを共に表示できる映像記録/再生装置の制御方法の説明に提供されるフローチャートである。
【０１４５】
図２２を参照すれば、メイン制御部１６０はＨＤＤ１５１に記録されているファイルに関する情報を読み取って(Ｓ１３１０)、その各ファイル別関連情報のうち拡張子を確認する(Ｓ１３２０)。これはディスプレイの可能なファイルであるか否かを判断するためのもので、各ファイル別拡張子が表１のように互いに互換可能であるかを判断するものである。これは、再生不可能なファイル、すなわち再生プログラムが存在しないファイルは画面にディスプレイしないようにするためのものである。前記Ｓ１３２０でディスプレイが不可能なファイルと判断されれば、該当ファイルはディスプレイ装置に表示しないよう処理する(Ｓ１３２１)。
【０１４６】
また、メイン制御部１６０は前記それぞれのファイルの再生可否を判断するため、デコーディングが可能なファイルであるかを確認する(Ｓ１３３０)。メイン制御部１６０がＨＤＤ１５１に記録されたファイルについてデコーディングが可能なファイルであるかを確認するためにはストリームタイプ（Stream  Type)を確かめるべきである。全てのファイルは必ず拡張子を有するが、ストリームタイプを有しない。ストリームタイプとはファイルの中からストリーミング(streaming)、すなわちデコーディング(decoding)の可能なデータに限ってストリームタイプ情報が２バイト(bytes)入っている。従って、ストリームタイプを確かめることによってデコーディング可否、すなわち再生可否を判断できる。
【０１４７】
ストリームタイプはＨＤＤ１５１に記録されたファイルのデータタイプであって、例えばＨＤＤ１５１に記録されたファイルが動映像データ、静止映像データ、オーディオデータ、テキストデータ、アニメーションデータなど多様なデータタイプのうち何れのタイプであるかを判別できるようにする。
【０１４８】
ストリームタイプは、'mp３'拡張子を有するファイルの場合、'mp３'に対する追加情報(例えば、音楽名、歌集、製作年度、ジャンルなど)を記録するＩＤ３タグに含まれている。これによって、ＨＤＤ１５１に'mp３'拡張子を有するファイルが記録された場合、メイン制御部１６０はＩＤ３タグに含まれたストリームタイプを確かめてデコーディング可否を判断する。デコーディングが可能なファイルとしては、例えば表２のように動映像ファイル、静止画ファイル、オーディオファイルなどが挙げられる。
【０１４９】
【表２】
2004215281.tif 000005
表２で左側のアイコンは図２１に示されたプログラムリスト画面を通してそれぞれ相異なるアイコン形状で表示されるよう指定され、フラッシュメモリ１６５に記録されている。従って、ストリームタイプ“PURE_MP３”は該当アイコンがICON_MP３であるが、これは図２１のように“MP３”というアイコンで表示されるようメイン制御部１６０によって制御され、同一な制御によってストリームタイプが“PURE_MUSICAM”や“PES_MUSICAM”なら“MP２”で、ストリームタイプが“PURE_WMA”ならアイコンは“WMA”で、ストリームタイプが“PURE_DTS”や“PURE_DTS_SWAPPED”なら“DTS”のようなアイコンで表示できる。また、図２１のようにカメラ形状のアイコンでも表示できる。
【０１５０】
表２の各ストリームタイプ別アイコン分類表もフラッシュメモリ１６５によって予め記録され使用でき、またアイコン分類表によって特定アイコンがマッピングされ自動記録でき、ユーザのキー操作によってプログラムリスト画面でアイコンを変更したり削除、追加することもできる。
【０１５１】
メイン制御部１６０はＨＤＤ１５１に記録されているファイルの中からデコーディングが可能なファイル、すなわち再生の可能なファイルは表２のようにストリームタイプ別に既に決定されている該当アイコンをフラッシュメモリ１６５から呼出して、図２１のようにディスプレイする(Ｓ１３３１)。すなわち、図２１のようにＨＤＤ１５１に記録されたファイルのリストにアイコンと共に提供する。
【０１５２】
図２１の中段領域４３０に表示されるデコーディングの可能なファイルは前記表２の分類表によって多様なアイコンで表示される。すなわち、ファイルの種類に応じてアイコンを相違に表示することによってユーザがさらに容易にファイルの種類を把握することができる。
【０１５３】
一方、図８に示された“HDD  Playlist”メニュー項目５３１や“CD  Playlist”メニュー項目５３３が選択されたり、図９に示された“HDD  Playlist”メニュー項目５４１や“CD  Playlist”メニュー項目５４３が選択された場合、メイン制御部１６０はＨＤＤ１５１に記録されたファイルまたはディスクプレーヤ１５５を通して再生するファイルを画面に表示するにおいて、図２１に示されたプログラムリスト画面の形式と同一な形式で表示することもできる。
【０１５４】
前記Ｓ１３３０でデコーディングが不可能なファイルと判断されれば、メイン制御部１６０は該当ファイルのアイコン表示部分には“ICON_UNKNOWN”のようなアイコンを表示する(Ｓ１３３２)。前述したように“ICON_UNKNOWN”のようなアイコンが表示されていて再生が不可能なファイルはユーザがキー操作で選択できないようにし、表示だけ行うことが望ましい。
【実施例５】
【０１５５】
以下、図２３を参照して、本発明の第５実施例であるディスクプレーヤ１５５に挿入された記録媒体に記録された映像ファイルを貯蔵されている順序に従って、連続的に再生する機能について説明する。
【０１５６】
図２３は本発明の第５実施例による記録媒体に記録された映像ファイルを貯蔵されている順序に従って連続的に再生できる映像記録/再生装置の制御方法の説明に提供されるフローチャートである。
【０１５７】
メイン制御部１６０はディスクプレーヤ１５５に挿入されたディスクに記録されているファイルに関する情報を読み取って(Ｓ１４１０)、ファイル別の拡張子を確かめてディスプレイが可能であるかを判断する(Ｓ１４２０)。メイン制御部１６０はＳ１４２０でディスプレイが不可能なファイルであると判断されれば、該当ファイルはテレビ３００に表示しないよう処理する(Ｓ１４２１)。
【０１５８】
また、メイン制御部１６０は前記それぞれのファイルの再生有無を判断するためにデコーディングが可能なファイルであるかを確認する(Ｓ１４３０)。
【０１５９】
判断結果、再生の可能なファイルは、表２のようにストリームタイプ別に既に決定されている該当アイコンをフラッシュメモリ１６５から呼出して、図２１のようにそれぞれ該当アイコンとファイルのリストをディスプレイする(Ｓ１４３１)。
【０１６０】
Ｓ１４３０においてデコーディングが不可能なファイルであると判断されれば、メイン制御部１６０は該当ファイルのアイコン表示部分には“ICON_UNKNOWN”のようなアイコンで表示する(Ｓ１４３２)。
【０１６１】
Ｓ１４３１でユーザがカーソルを操作して再生するファイルを選択すれば、メイン制御部１６０はユーザが選択したファイルが音楽ファイルであるかを判断する(Ｓ１４３３)。
【０１６２】
Ｓ１４３３で音楽ファイルの場合、メイン制御部１６０は関連音楽再生プログラムを読み取って(Ｓ１４３４)、前記音楽ファイルを再生する(Ｓ１４３５)。詳しくは、図２１のように表示された画面で“MP3  I  Don't  want  to”ファイルを選択したならば、メイン制御部１６０はフラッシュメモリ１６５から“mp３”ファイルをデコーディングするために“mp３_action”関連関数を呼出して第２ＳＤＲＡＭ１６７にデコーディング値を記録してからオーディオＤ/Ａ変換部１３５にデータを伝送するようになり、結局外部装置に音楽ファイルが再生され出力される。Ｓ１４３３でメイン制御部１６０はディスクに記録されているファイルのストリームタイプを確認してファイルの種類を判断することが望ましい。
【０１６３】
一方、Ｓ１４３３で音楽ファイルでない場合、メイン制御部１６０は前記選択されたファイルが動映像ファイルであると判断し、関連映像再生プログラムを読み取って(Ｓ１４３６)再生するようになる(Ｓ１４３７)。すなわち、図２１のように表示された画面で“movie7”を選択すれば、メイン制御部１６０はフラッシュメモリ１６５から絵ファイルをデコーディングするために“rom_slide_show”関連関数を呼出して第２ＳＤＲＡＭ１６７にデコーディング値を記録してからビデオエンコーダ１３７にデータを伝送するようになり、結局外部装置に映像ファイルが再生され出力される。
【実施例６】
【０１６４】
以下、図２４ないし図２７を参照して、本発明の第６実施例である映像ファイルをさらに容易に編集できる機能について説明する。
【０１６５】
まず、図７に示されたメニュー項目５１３ａ〜５１３ｄのうち“Divide”メニュー項目５１３ｂを選択すれば、テレビ３００には図２４のようなDivideメニュー画面が表示される。
【０１６６】
図２４に示した通り、DivideメニューはＨＤＤ１５１に記録されたファイルを画面に示し、それぞれのファイルは所定サイズの静止画面形態に表示される。示された静止画面１５１０〜１５４０はＨＤＤ１５１に記録されたそれぞれのファイルを画面で再生時再生される一番目のフレームを示す。ここで、遠隔制御器２００の方向キー２１３、２１５を用いて、参照符号１５４０を選択すれば、図２５に示されたメニュー画面がディスプレイされる。
【０１６７】
図２５において、参照符号Aは先に選択したファイルを画面にディスプレイするディスプレイウィンドウであり、参照符号Ｂはゲージバー(gauge  bar)を示し、参照符号ＣはディスプレイウィンドウＡで再生されるファイルの再生位置を表示するためのカーソル(cursor)である。
【０１６８】
参照符号１５５０と１５６０はカーソルＣが位置する領域でエンターキー２２１が押される時再生されるフレームを静止画面化したものである。すなわち、参照符号１５５０は選択されたファイルの一番目のフレームを示す静止画面であり、参照符号１５６０は分割された領域の一番目フレームを示すアイコンである。ここで、カーソルＣはファイルの総再生時間によってそのサイズが相違になるが、ファイルの再生時間が大きければ小さくなり、ファイルの再生時間が小さければ大きくなる。一方、倍速設定キー２１３、２１５が押されるとカーソルＣがゲージバーＢ上で移動する速度が可変される。この際、低倍速設定キー２１３を押す回数によってカーソルＣの移動速度は次第に減少する。逆に、高倍速設定キー２１５を押す回数によってカーソルＣの移動速度は次第に増加する。このように、倍速設定キー２１３、２１５は編集者が特定位置を迅速に探そうとする際使用される。
【０１６９】
図２６は図２４に示された静止画面１５１０が選択される際、テレビ３００にディスプレイされるメニュー画面を示した図であり、図２７は図２４に示された静止画面１５３０が選択される際、画面にディスプレイされるメニュー画面を示す。
【０１７０】
図２６において、参照符号Ｄは静止画面１５１０に対応するファイルを画面の所定領域にディスプレイしたディスプレイウィンドウであり、図２７で参照符号Ｅは静止画面１５３０に対応するファイルを画面の所定領域にディスプレイしたディスプレイウィンドウを示す。ここで、図２６に示されたファイルは３０分の再生時間を有するファイルであり、図２７に示されたファイルは３時間の再生時間を有するファイルである。
【０１７１】
示した通り、図２６及び図２７のカーソルＣ'とＣ”はファイルの再生時間によってそのサイズがそれぞれ違うことが分かる。ここで、ファイルの再生時間を問わずカーソルが同一ならば、例えば図２６と図２７に示されたカーソルのサイズが同一ならば、図２６に示されたカーソルＣ'の進行速度はカーソルＣ”に比べて極めて迅速であるべきであるが、示した通り、カーソルのサイズが大きくなることによってカーソルの進行速度は図２７に示したカーソルＣ”に比べて大幅に変らない。従って、ディスプレイウィンドウで再生される画面を見てこれを編集する際、編集者は自分が再生させたファイルの再生時間を直観的に理解しやすく、ファイルが有する再生時間によってカーソルの速度が急激に変らないため、編集が容易になる。
【実施例７】
【０１７２】
以下、図２８ないし図３１を参照して、本発明の第７実施例である動映像ファイルについて部分削除する機能について説明する。
【０１７３】
まず、図７に示されたメニュー項目５１３ａ〜５１３ｄのうち“Partial  Delete”メニュー項目５１３ｄを選択すれば、テレビ３００には図２８のようなPartial  Deleteメニュー画面が表示される。
【０１７４】
図２８に示されたPartial  Deleteメニュー画面には、ＨＤＤ１５１に記録された動映像ファイルリストが所定の静止画面形態１６１０〜１６４０に表示される。静止画面１６１０〜１６４０はそれぞれの動映像ファイルに含まれるＧＯＰデータのうち所定部分から抜粋したＧＯＰデータである。
【０１７５】
図２８に表示された静止画面１６１０〜１６４０のうちいずれか一つを選択すれば、図２９に示したようなメニュー画面が表示される。
【０１７６】
図２９のメニュー画面には選択された静止画面に対応する動映像ファイルが実行され再生されるディスプレイウィンドウ１６１０と、ディスプレイウィンドウ１６０に表示される動映像ファイルの長さに対応するゲージバー(gauge  bar)１６２０と、ディスプレイウィンドウ１６１０で再生される再生位置を表示するカーソル１６２０ａ、及びディスプレイウィンドウ１６１０に表示される再生画面のうち削除させる部分に対応する静止画面を表示する編集ウィンドウ１６４０が表示される。また、部分削除編集を完了した後、部分削除機能を実行させる実行キーである“Execute”メニュー１６３０が表示される。
【０１７７】
以下、本実施例による部分削除機能が行われる過程を図３０及び図３１を参照してさらに詳述する。
【０１７８】
まず、図７に示されたメニュー項目５１３ａ〜５１３ｄのうち“Partial  Delete”メニュー項目５１３ｄを選択すれば、テレビ３００には図２８のようなPartial  Deleteメニュー画面が表示されるが、ここにはＨＤＤ１５１に記録された動映像ファイル１６１０〜１６４０に対するリストが表示される(Ｓ１７１１)。
【０１７９】
図２８のPartial  Deleteメニュー画面に表示された動映像ファイルリストのうちいずれか一つを選択(例えば、１６１０を選択)する(Ｓ１７１３)。メイン制御部１６０は選択された静止画面１６１０に対応する動映像ファイルをＨＤＤ１５１から読み取って、追って行われる部分削除機能のために第２ＳＤＲＡＭ１６７に記録する。すなわち、メイン制御部１６０はＭＰＥＧデコーダ１６３によって第２ＳＤＲＡＭ１６７に記録された動映像ファイルをデコーディングして、図２９に示されたメニュー画面のディスプレイウィンドウ１６１０に再生させる。すなわち、ディスプレイウィンドウ１６１０には選択された動映像ファイルが再生され表示され(Ｓ１７１５)、ゲージバー１６２０には動映像ファイルの全長のうち現在ディスプレイウィンドウ１６１０に再生されている画面の再生位置によってカーソル１６２０ａが移動される。
【０１８０】
ディスプレイウィンドウ１６１０に表示される再生画面に基づき削除したい部分を設定でき、この際ディスプレイウィンドウ１６１０に表示される画面の再生速度は倍速進行が可能である。
【０１８１】
ユーザはディスプレイウィンドウ１６１０に表示される再生画面を見ながら削除しようとする部分を選択する。すなわち、削除部分の開始位置に該当する画面がディスプレイウィンドウ１６１０に表示されれば、遠隔制御装置２００のエンターキー２２１を押すことによって削除部分の開始位置が選択される(Ｓ１７１７)。またエンターキー２２１を押すと同時に選択された開始位置に該当する画面が編集ウィンドウ１６４０に静止画面１６４０ａで表示される(Ｓ１７１９)。
【０１８２】
その後、削除部分が終了位置に該当する画面がディスプレイウィンドウ１６１０に表示されれば、エンターキー２２１を押すことによって削除部分の終了位置を選択する(Ｓ１７２１)。同時に、選択された終了位置に当たる画面が編集ウィンドウ１６４０に静止画面１６４０ｂで表示される(Ｓ１７２３)。
【０１８３】
このような方法で編集ウィンドウ１６４０には削除部分に対応する開始位置及び終了位置の静止画面１６４０ａ、１６４０ｂがそれぞれ表示され、ユーザは選択した削除部分を認知できるようになる。ここで、複数個の削除部分を選択できることは勿論である。
【０１８４】
その後、編集ウィンドウ１６４０に表示された選択された削除部分を削除させるために“Execute”メニュー１６３０を実行させれば(Ｓ１７２５)、編集ウィンドウ１６４０に選択された削除部分が削除される(Ｓ１７２９)。
【０１８５】
以上の部分削除機能をユーザ側で実行する過程を説明したものであり、図３０を参照して映像記録/再生装置側で実行される過程を説明すれば次の通りである。
【０１８６】
図３０の(ａ)は現在ディスプレイウィンドウ１６１０に再生される動映像ファイルを示したもので、動映像ファイルはメイン制御部１６０がＨＤＤ１５１から読み取って第２ＳＤＲＡＭ１６７に記録したファイルであって、ファイル名は“００００００００１.mpg”であり、ファイル構造は０から３３までのＧＯＰ(１sec=２GOP)データよりなる。
【０１８７】
図３０の(ｂ)のように、動映像ファイル“００００００００１.mpg”の全体ＧＯＰデータ(０から３３)について(５、７)、(１２、１３)、(１８、２１)、(２７、２８)のＧＯＰ番号を部分的に削除されるようユーザによって選択される。メイン制御部１６０に設けられた削除リスト生成部(図示せず)は選択された削除部分のＧＯＰ番号をチェックして、削除部分のＧＯＰ番号に対応する削除リストを生成する(Ｓ１７２７)。例えば、削除するGOP番号に対するリスト(５、６、７、１２、１３、１８、１９、２０、２１、２７、２８)を生成する。
【０１８８】
その後、“Execute”メニュー１６３０が選択されれば、メイン制御部１６０は削除リスト生成部によって生成された削除リストと第２ＳＤＲＡＭ１６７に記録された動映像ファイル(００００００００１．mpg)の全体ＧＯＰ番号(０から３３)を比較して削除リストに該当するＧＯＰデータを削除させる(Ｓ１７２９)。
【０１８９】
これに、第２ＳＤＲＡＭ１６７には部分削除が完了された、図３０の(ｃ)のような新たな動映像ファイル(００００００００２．mpg)が生成される(Ｓ１７３１)。メイン制御部１６０は第２ＳＤＲＡＭ１６７に生成された新たな動映像ファイル(００００００００２．mpg)をＨＤＤ１５１に記録する。
【０１９０】
従って、ＨＤＤ１５１に記録された動映像ファイルについて削除しようとする部分を選択して削除させうるようになることから編集機能を向上させうる。 
【実施例８】
【０１９１】
以下、図３２ないし図３６を参照して、本発明の第８実施例である映像ファイルが記録されたフォルダー名をユーザをして認知しやすくせしめるよう構図されたプレイリスト画面を提供する機能について説明する。
【０１９２】
ＨＤＤ１５１に記録される映像ファイルを体系的に管理するため、ＨＤＤ１５１は仮想的に細分化された上位フォルダー及び上位フォルダーに従属する多数の下位フォルダーを有する。この場合、各ファイルはＨＤＤ１５１の仮想的に細分化された上位フォルダーまたは下位フォルダーに位置するよう記録されうる。また、所定の下位フォルダーには１種類のファイル(例えば、拡張子'jpg'を有するファイル)だけ記録されることではなく、拡張子'jpg'及び/または'mp３'などを有する各種ファイルが混用で記録可能である。
【０１９３】
まず、図８に示されたメニュー項目５３１〜５３４のうち“HDD  Playlist”メニュー項目５３１を選択すれば、テレビ３００には図３２に示したように、ＨＤＤ１５１に記録されたファイルのうち音響ファイルに対するリストが表示される。
【０１９４】
図３２のＨＤＤプレイリスト画面で、上段領域の第１ブロックには“ジュークボックス”が表示され、第２ブロックにはＨＤＤ１５１の最上位フォルダーのフォルダー名である“Root”が表示される。また、中段領域に表示されたプレイリストは二つの下位フォルダー('Classic'と'Beatles')と三つのｍｐ３ファイル及び一つのwaveファイルよりなっている。すなわち、音響ファイルはＨＤＤ１５１の“Root”フォルダーに総１２５個記録されており、詳しくは二つの下位フォルダー('Classic'と'Beatles')と三つのmp３ファイル及び一つのwaveファイルが記録されていることが分かる。
【０１９５】
ここで、図３２に示されたプレイリストのうち"Beatles"と命名された下位フォルダーを選択すれば、図３３に示した通り"Root"フォルダーに従属する下位フォルダーである"Beatles"フォルダーに記録されたファイル(例えば、'I  want  to  hold  your  hand'、'Hey  Jude'、'Something')がリストアップされる。同時に、プレイリスト画面の上段領域の第２ブロックには上位フォルダーのフォルダー名である“Root”の代りに選択された下位フォルダーのフォルダー名である“Beatles”が表示される。
【０１９６】
同様に、図９に示されたメニュー項目５４１〜５４４のうち“HDD  Playlist”メニュー項目５４１を選択すれば、テレビ３００には図３４に示した通り、ＨＤＤ１５１に記録されたファイルのうち静止画ファイルに対するリストが表示される。
【０１９７】
図３４のＨＤＤプレイリスト画面において、上段領域の第１ブロックには“フォトアルバム”が表示され、第２ブロックにはＨＤＤ１５１の最上位フォルダーのフォルダー名である“Root”が表示される。また、中段領域に表示されたプレイリストは二つの下位フォルダー('Flower'と'River')と三つのjpegファイルよりなっている。
【０１９８】
ここで、図３４に示されたプレイリストのうち“Flower”と命名された下位フォルダーを選択すれば、図３５に示したように“Root”フォルダーに従属する下位フォルダーである“Flower”フォルダーに記録されたファイル(例えば、'sunflower'、'cosmos'、'Dandelion')がリストアップされる。同時に、上段領域の第２ブロックには上位フォルダーのフォルダー名である“Root”の代りに選択された下位フォルダーのフォルダー名である“Flower”が表示される。
【０１９９】
以下、本実施例による映像ファイルが記録されたフォルダー名をユーザが容易く認知できるよう構図されたプレイリスト画面を提供する映像記録/再生装置の制御方法について図３６を参照して説明する。
【０２００】
まず、遠隔制御器２００のメニューキー２１１を押して図５に示したような初期メニュー画面４００をテレビ３００に表示させる(Ｓ１８００、Ｓ１８１０)。
【０２０１】
図５に示された初期メニュー項目５１０〜５５０のうち“ジュークボックス”メニュー項目５３０または“フォトアルバム”メニュー項目５４０を選択すれば(Ｓ１８２０)、選択したメニュー項目のサブメニューがテレビ３００に表示される(Ｓ１８３０)。例えば、Ｓ１８２０段階で“ジュークボックス”メニュー項目５３０を選択すれば、テレビ３００には“ジュークボックス”メニュー項目５３０のサブメニューが図８のように表示される。以下、Ｓ１８２０段階で“ジュークボックス”メニュー項目が選択された場合を一例として説明する。
【０２０２】
Ｓ１８３０段階遂行後、図８に示されたメニュー項目５３１〜５３４のうち“ＨＤＤプレイリスト”メニュー項目５３１を選択すれば、ＨＤＤプレイリストメニューが実行される(Ｓ１８４０)。
【０２０３】
Ｓ１８４０段階でＨＤＤプレイリストメニューが実行されれば、メイン制御部１６０は現在の画面を変更して、図３２に示したようにＨＤＤ１５１に記録された音響ファイルに対するリストを中段領域にリストアップして表示する(Ｓ１８５０)。
【０２０４】
Ｓ１８５０段階で、ＨＤＤプレイリスト画面の上段領域の第１ブロックには“Juke  Box”が表示され、第２ブロックにはＨＤＤ１５１の最上位フォルダーのフォルダー名である“Root”が表示される。プレイリストで“Root”フォルダーの下位フォルダーが存在する場合、所定の下位フォルダーを選択すれば(Ｓ１８６０)、選択された下位フォルダー内に位置する音響ファイルリスト及び下位フォルダーのフォルダー名がプレイリスト画面に表示される(Ｓ１８７０)。
【０２０５】
例えば、図３２に示されたプレイリストのうち“Beatles”と命名された下位フォルダーを選択すれば、図３３に示した通り“Root”フォルダーに従属する下位フォルダーである“Beatles”フォルダーに記録されたファイルが中段領域に表示される。かつプレイリスト画面の上段領域の第２ブロックには上位フォルダーのフォルダー名である“Root”の代りに選択された下位フォルダーのフォルダー名である“Beatles”が表示される。
【０２０６】
一方、Ｓ１８２０段階で“フォトアルバム”メニュー項目５４０が選択されれば、Ｓ１８３０段階では図９のような画面が表示され、Ｓ１８４０段階で“HDD  Playlist”メニュー項目５４１が選択されれば、Ｓ１８５０段階では図３４のようなプレイリスト画面が表示される。そして、Ｓ１８６０段階で図３４に示されたプレイリストのうち“Flower”と命名された下位フォルダーが選択されれば、図３５に示した通り、“Root”フォルダーに従属される下位フォルダーである“Flower”フォルダーに記録されたファイルがリストアップされる。同時に、プレイリスト画面の上段領域の第２ブロックには上位フォルダーのフォルダー名である“Root”の代りに選択された下位フォルダーのフォルダー名である“Flower”が表示される。
【０２０７】
また、Ｓ１８２０段階、Ｓ１８４０段階及びＳ１８６０段階でそれぞれの入力(input)信号が印加されなければ、それぞれＳ１８２５段階、Ｓ１８４５段階及びＳ１８６５段階のように遊休状態(idle)を維持する。
【０２０８】
一方、Ｓ１８７０段階で、選択された下位フォルダーのフォルダー名はメイン制御部１６０の制御によって“Root”右側に羅列されるよう表示可能である。また、選択された下位フォルダーのフォルダー名は上段領域の第２ブロックだけではなく、その他の領域に表示可能である。
【実施例９】
【０２０９】
以下、図３７ないし図４２を参照して、本発明の第９実施例である記録媒体に記録された映像ファイルのプレイリストを画面に表示し、表示されたプレイリストを用いて容易で迅速にファイルを選択する機能について説明する。
【０２１０】
まず、図８に表示されたメニュー項目５３１〜５３４のうち“HDD  Playlist”メニュー項目５３１を選択すれば、テレビ３００には図３２のようなメニュー画面が表示される。
【０２１１】
その後、カーソルを移動させ“Beatles”と命名された下位フォルダーを選択すれば、図３７に示した通り、“Root”フォルダーに従属される下位フォルダーである"Beatles"フォルダーに記録されたファイル(例えば、'I  want  to  hold  your  hand'、'Hey  Jude'、'Something'．．)がリストアップされる。プレイリスト画面の上段領域の第２ブロックには上位フォルダーのフォルダー名である“Root”の代りに選択された下位フォルダーのフォルダー名である“Beatles”と下位フォルダー“Beatles”に記録された総ファイル個数がTotal:１６６のように表示される。
【０２１２】
そして、プレイリスト画面の中段領域にはフォルダーに記録されたファイルリストの最初頁がリストアップされる。本実施例によるプレイリスト画面の場合、１画面に最大９個のファイルをリストアップすることができる。この場合、全体ファイルが１６６個の場合９個ずつ順番通りグループ化すれば１９個の頁でグループ化されナンバリングされる。最後１９番目の頁には４個のファイルが含まれる。
【０２１３】
従って、図３７には"Beatles"フォルダーのファイルをグループ化した１９個の頁のうちデフォルトで設定された頁、通常最初頁がディスプレイされる。示した通り、最初頁に含まれる９個のファイルに対する情報がリストアップされる。本実施例ではファイル名とファイル種類及びファイルナンバーが表示されるが、動映像ファイルの場合代表画面や記録日付及び長さなどのファイル情報を共に表示できる。
【０２１４】
最初画面ではデフォルト位置にカーソルが位置する。普通デフォルト位置は表示されたリストの一番目のファイルである。所望のファイルの実行のためにはファイル位置までカーソルを移動させるべきである。カーソルは遠隔制御器２００の上下方向キー２１７、２１９の操作によってリストアップされたファイルを上下に１列ずつ移動する。すなわち、遠隔制御器２００の下方向キー２１９が押されると図３８に示したようにカーソルは１行下に移動する。ところが、ファイルの個数が多い場合、カーソルを１列ずつ移動する場合所望のファイルを選択するまで長時間かかるので、本発明では遠隔制御器のＲＥＷ/ＦＦキー２３１、２３３を用いてカーソルを頁単位で移動できるようにする。すなわち、ＦＦキー２３３を押した場合、図３９に示した通り次頁のファイルリストがディスプレイされる。そして、カーソルは通常デフォルト位置に置かれるが、頁移動前の位置に置かせることも可能である。また、図３９のような状況でＲＥＷ２３１を押した場合、図３７のように前頁に移動し、図３７のような最初頁でＲＥＷキー２３１を押した場合は図４０に示したように、４個のファイルを含んでいる最後頁を画面にディスプレイさせる。
【０２１５】
すなわち、ユーザは１６６個のファイルのうち３８番目ファイルを選択するため、ＦＦキー２３３を４回押すと４番目の頁がディスプレイされ、４番目の頁で下方向キー２１９を２回押すと３８番目ファイルに位置する。
【０２１６】
また、図３７や図３８、それから図３９のように何れの位置にカーソルが位置している状況下で右方向キー２１５を押せば、最後頁の最後ファイルにカーソルが位置するよう移動する。すなわち、図４０のように最後ファイルである１６６番目ファイルにカーソルが表示される。また、カーソルが位置している状況下で左方向キー２１３を入力すれば、最初頁の一番目ファイルにカーソルが位置するよう移動する。すなわち、図３７のように１番目ファイルにカーソルが表示される。
【０２１７】
以下、本実施例による映像記録/再生装置のファイルリスト表示方法について説明する。
【０２１８】
図４１は図３７のファイルリストを表示するための映像記録/再生装置のファイルリスト表示方法の説明に提供されるフローチャートである。
【０２１９】
図４１を参照すれば、ＨＤＤ１５１に記録された映像ファイルに対するプレイリスト画面を表示するためには、まず遠隔制御器２００のメニューキー２１１を押して図５に示したような初期メニュー画面４００をテレビ３００に表示させる(Ｓ１９００、Ｓ１９１０)。
【０２２０】
図５に示した初期メニュー項目５１０〜５５０のうち"ジュークボックス"メニュー項目５３０または"フォトアルバム"メニュー項目５４０を選択すれば(Ｓ１９２０)、選択したメニュー項目のサブメニューがテレビ３００に表示される(Ｓ１９３０)。
【０２２１】
Ｓ１９３０段階の遂行後、図８に示されたメニュー項目５３１〜５３４のうち“HDD  Playlist”メニュー項目５３１を選択したり、図９に示したメニュー項目５４１〜５４４のうち“HDD  Playlist”メニュー項目５４１を選択すれば、ＨＤＤプレイリストメニューが実行される(Ｓ１９４０)。
【０２２２】
Ｓ１９４０段階でＨＤＤプレイリストメニューが実行されれば、メイン制御部１６０は現在の画面を変更して図３２に示したようにＨＤＤ１５１に記録された映像ファイルに対するリストを中段領域にリストアップして表示する(Ｓ１９５０)。
【０２２３】
プレイリストで"Root"フォルダーの下位フォルダーを選択すれば(Ｓ１９６０)、選択された下位フォルダー内に位置する音響ファイルリスト及び下位フォルダーのフォルダー名がプレイリスト画面に表示される(Ｓ１９７０)。
【０２２４】
以下、本実施例による記録媒体に記録された映像ファイルのプレイリストを画面に表示し、表示されたプレイリストを用いて容易で迅速にファイルを選択できる映像記録/再生装置の制御方法について図４２を参照して説明する。
【０２２５】
まず、フォルダー全体のファイル数(Ｌ)、メニュー画面に表示される最大ファイル数(ｍ)、及びカーソルの位置(ｎ)をそれぞれ設定する(Ｓ２０００)。そして、全体ファイルを順序通り最大ファイル数ｍ個ずつグループ化し、グループをＰ１、Ｐ２、．．．、Ｐｋのように順番通りに頁ナンバリングする(Ｓ２０１０)。例えば図３７に示された“Beatles”フォルダーの場合、全体ファイル数は１６６個であり、メニュー画面に表示される最大ファイル数は９個に設定する。従って、総頁数は１９個になり、最後頁は４個のファイルを含む。このようにファイルを頁順でグループ化した後フォルダーのファイルリスト表示信号が入力されれば(Ｓ２０２０)、最初頁であるＰ１頁のファイルリストを表示する。従って、ファイルナンバー１から９までのファイルのプレイリストが表示される。この際カーソルはデフォルト位置ｎ１に位置する(Ｓ２０３０、Ｓ２０４０)。図３７でカーソルのデフォルト位置はリストの一番目ファイル位置である。
【０２２６】
このようにファイルリストが表示された状態で遠隔制御器２００の上下方向キー２１７、２１９信号が入力されれば(Ｓ２０５０)、カーソルはデフォルト位置で１行アップ/ダウンされた位置に移動する(Ｓ２０５１)。ｎが０の場合、すなわちファイルナンバー１の位置にカーソルがある状態で上方向キー２１７信号が入力されれば、ＮはＬ、すなわち最後ファイルｎＬ位置にカーソルが移動する(Ｓ２０５３、Ｓ２０５５)(図４０参照)。
【０２２７】
そして、遠隔制御器２００のＲＥＷ/ＦＦキー２３１、２３３で表示された頁アップまたは頁ダウンキー信号が入力されれば(Ｓ２０６０)、画面に表示される頁を１頁ずつ前後に移動する（Ｓ２０６１）。本実施例において頁ダウン信号はＦＦキー２３３信号を、頁アップ信号はＲＥＷキー２３１信号を利用する。最初頁Ｐ１でＲＥＷキー２３１が入力されれば、表示される頁はＰ０になり（Ｓ２０６３）、Ｐ０は最後頁Ｐｋに設定されるため、ファイルナンバー１６３、１６４、１６５、１６６を含む最後頁Ｐｋが表示される頁ＰＧに設定される（Ｓ２０６５）。Ｐ１でＦＦキー２３３が入力されれば表示される頁はＰ２に設定され、図３９に示した通りファイルナンバー１０から１８まで含まれたファイルリスト画面が表示される。この際、カーソルは図３９のようにリストの一番目ファイル位置に設定されたデフォルト位置に置かれる（Ｓ２０６７）。そして、ファイルリスト画面が表示された状態でメニューキー信号が入力されれば（Ｓ２０７０）、ファイルリスト表示モードが終了する。
【０２２８】
また、段階Ｓ２０６０で左右方向キー２１３、２１５で表示された先頭ファイルまたは最終ファイルキー信号が入力されれば(Ｓ２０８０)、最初頁の一番目ファイルまたは最後頁の最後ファイルにカーソルが位置するよう移動する(Ｓ２０９０)。すなわち、左方向キー２１３が入力されれば、カーソルが位置している頁やファイルを無視し、最初頁の一番目ファイルにカーソルが位置するよう移動する。従って、カーソルがいずれの頁いずれのファイルにあるのかを問わず、図３７のように１番目ファイルにカーソルが表示される。また、右方向キー２１５が入力されれば、最後頁の最後ファイルにカーソルが位置するよう移動する。
【０２２９】
従って、本発明に係るファイルリストを利用すれば、記録されたファイルの中から選択しようとするファイルにさらに迅速に接近できるようになり、フォルダーに記録されたファイルを容易に確認できる。
【０２３０】
本実施例では“ジュークボックス”メニュー項目に例えて説明したが、“デジタルレコーダ”メニュー項目や“フォトアルバム”メニュー項目の場合も同様に適用される。
【実施例１０】
【０２３１】
以下、図４３ないし図４７を参照して本発明の第１０実施例である、音楽ファイルが再生される間多様な静止画ファイルをディスプレイすることによってユーザに視聴覚的に一層効率よく情報を提供できるスライドショー機能について説明する。
【０２３２】
スライドショーは音楽のような音響ファイルが再生される間、多数の静止映像が一定周期に合わせて交互に表示されることを指す。また、静止画ファイル及び音響ファイルは記録媒体の上位フォルダー(root)または上位フォルダーの下位フォルダー内に記録され、スライドショー具現時表示される静止画ファイルには再生される音響ファイルと同一フォルダー内に位置したり、または記録媒体に記録された全ての静止画ファイルが適用されうる。
【０２３３】
まず、図８に表示されたメニュー項目５３１〜５３４のうち“HDD  Playlist”メニュー項目５３１を選択すれば、テレビ３００には図４３のようなＨＤＤプレイリスト画面が表示される。
【０２３４】
同様に、図８に示されたメニュー項目５３１〜５３４のうち“CD  Playlist”メニュー項目５３３を選択した場合は、ＣＤに記録された音響ファイルリストを提供するプレイリスト画面(図示せず)が表示される。
【０２３５】
図４３を参照すれば、ＨＤＤプレイリストは'Root'フォルダーの下位フォルダー('Classic'と'Beatles')二つと複数の'mp３'ファイルよりなっている。これらのうち再生しようとする音響ファイルにカーソルを移動させた後、エンターキー２２１を操作することによって選曲できる。選曲された音響ファイルは音響ファイルの横にチェックされる
【０２３６】
【数２】
2004215281.tif 000006
表示によって分かる。
【０２３７】
ここで、選曲された音響ファイルに対する再生命令が印加されれば、テレビ３００には図４４のようなメニュー画面が表示され、選曲された音響ファイルが所定の順序で再生される。図４４は選曲された音響ファイルリストが表示されるプレイリスト画面を示す図である。
【０２３８】
図４４を参照すれば、プレイリスト画面の中段領域には選曲された音響ファイルリスト、スライドショーの具現のための“Slide  Show”メニュー２１１０、現在再生中の音響ファイルに対する概略的な情報(例えば、歌手、作曲家、歌詞、発表年度など)が表示される画面(図示せず)が提供される。
【０２３９】
選曲された音響ファイルが所定順序に従って再生される間、テレビ３００には図４４のようなプレイリスト画面が表示される。この際スライドショーを具現するため、遠隔制御器２００を操作して“Slide  Show”メニュー２１１０を選択すれば、テレビ３００には図４５に示したような周期設定メニュー画面２１３０が表示される。
【０２４０】
周期設定メニュー画面２１３０はスライドショーウィンドウ２１２０に交互に表示される静止映像の表示周期を設定できるようにする。図４５のような画面では、
【０２４１】
【数３】
2004215281.tif 000007
または
【０２４２】
【数４】
2004215281.tif 000008
で表示されたアイコンを操作して表示周期(単位:秒)を設定することができる。例えば、
【０２４３】
【数５】
2004215281.tif 000009
で表示されたアイコンを選択すれば表示周期は短縮され、
【０２４４】
【数６】
2004215281.tif 000010
で表示されたアイコンを選択すれば表示周期は延びる。
【０２４５】
そして、遠隔制御器２００のエンターキーを押せば表示周期は最終設定され、スライドショー機能が実行される。すなわち、スライドショーウィンドウ２１２０でスライドショーが実行され、複数の静止映像が設定された表示周期ほど交互に表示される。
【０２４６】
この際スライドショーに利用される複数の静止映像に対するファイルは再生のために選曲された音響ファイルまたは現在再生中の音響ファイルと同一なフォルダーに記録されている。例えば、図４４のプレイリスト画面のファイルと同一なフォルダー内に記録された静止画ファイルが総５個の場合、スライドショーが行われると５個の静止画ファイルは設定された表示周期ほど順次に表示されることを反復して行う。
【０２４７】
これにより、プレイリスト画面に表示された音響ファイルは所定の順序で再生され、同時に静止映像は所定の順序でスライドショーを実行する。
【０２４８】
スライドショーの実行のための静止画ファイルのデコーディングについては図４７を参照して詳述する。
【０２４９】
一方、スライドショーの実行中に遠隔制御器２００を操作して、スライドショーウィンドウ２１２０を選択すれば、実行中の所定の静止映像は図４６に示した通り、テレビ３００にフルスクリーン化されることが可能である。すなわち、所定の静止映像はテレビ３００のサイズに対応するよう拡大され、この際プレイリスト画面に重畳表示される。フルスクリーンが実行された後もスライドショーは進まれることが望ましい。また、フルスクリーンを解除しようとする場合は、遠隔制御器２００を操作することによって解除できる。
【０２５０】
図４７は本実施例による音楽ファイルが再生される間多様な静止画ファイルをディスプレイするスライドショー機能を有する映像記録/再生装置の制御方法の説明に提供されるフローチャートである。
【０２５１】
まず、図８に示されたメニュー項目５３１〜５３４のうち“HDD  Playlist”メニュー項目５３１を選択して、テレビ３００には図４３のようなＨＤＤプレイリスト画面を表示させる。
【０２５２】
図４３に示されたプレイリスト画面で遠隔制御器２００の操作によって再生する音響ファイルが選曲された後再生命令信号が受信されれば(Ｓ２２０５)、メイン制御部１６０はテレビ３００に図４４のようなプレイリスト画面がリストアップされるようにする。
【０２５３】
かつ、Ｓ２２０５段階が行われると、メイン制御部１６０は選曲された音響ファイルを読み出した後、ＭＰＥＧデコーダ１６３を制御して選曲された音響ファイルを順次にデコーディングする(Ｓ２２１０)。
【０２５４】
メイン制御部１６０はデコーディングされた音響ファイルが第２ＳＤＲＡＭ２６７に臨時記録されるようにする(Ｓ２２１５)。一般に'mp3'音響ファイルは１２８kbps(Kbit  per  sec)ビットレートでデコーディングされ臨時記録される。
【０２５５】
臨時記録された所定の音響ファイルはオーディオＤ/Ａ変換部１３５によってアナログ信号に変換された後、所定の出力端子及びスピーカ(図示せず)を介して再生される(Ｓ２２２０)。
【０２５６】
例えば、図４４のように三つの音響ファイルに対する再生命令が受信されれば、Ｓ２２１０段階は'Say  Goodnight'、'If'、'The  Whistler's  Song'を順次にデコーディングし、デコーディング順番通りに各音響ファイルは第２ＳＤＲＡＭ１６７に臨時記録される。また、'If'がデコーディングされる時臨時記録された'Say  Goodnight'はＤ/Ａ変換され再生される。
【０２５７】
Ｓ２２２０段階のように臨時記録された音響ファイルが再生される間、遠隔制御器２００を通して図４４に示された“Slide  Show”メニュー２１１０が選択されれば(Ｓ２２２５)、メイン制御部１６０は選曲された音響ファイル('Say  Goodnight'、'If'、'The  Whistler's  Song')が記録されたフォルダー内に複数の静止画ファイルが記録されているか否かを確認する(Ｓ２２３０)。
【０２５８】
Ｓ２２３０段階で音響ファイルが記録されたフォルダーと同一なフォルダーに複数の静止画ファイルが記録されていることと確認されれば、メイン制御部２６０は図４５に示した通り、周期設定メニュー画面２１３０を表示させる。そして、遠隔制御器２００の操作によって静止映像の表示周期が設定されれば(Ｓ２２３５)、メイン制御部１６０はＭＰＥＧデコーダ１６３を制御して同一フォルダーに記録された複数の静止画ファイルを順次にデコーディングした後、第２ＳＤＲＡＭ１６７に臨時記録させる(Ｓ２２４０)。
【０２５９】
Ｓ２２４０段階において、望ましくは遠隔制御器２００の操作によって表示周期が設定されなければ、メイン制御部１６０はデフォルト値で既に設定された表示周期でスライドショーを進行するよう制御する。
【０２６０】
Ｓ２２４０段階においてメイン制御部１６０は音響ファイルがデコーディングされずＭＰＥＧデコーダ１６３が遊休状態の時静止画ファイルがデコーディングされるようにする。すなわち、臨時記録された音響ファイルが再生される間静止画ファイルをデコーディングして臨時記録する。
【０２６１】
この際、Ｓ２２４０段階においてデコーディングされた所定の静止画ファイルを臨時記録するための記録空間がない場合、メイン制御部１６０は臨時記録された音響ファイルが再生され記録空間が再生成される時、デコーディングされた所定の静止画ファイルを臨時記録させる。
【０２６２】
そして、臨時記録された静止画ファイルはビデオエンコーダ１３７によってエンコーディングされた後テレビ３００で再生される(Ｓ２２４５)。すなわち、選曲及び再生される音響ファイルと同一なフォルダーに記録された複数の静止画ファイルは順次にデコーディング、臨時記録された後Ｓ２２３５段階で設定された表示周期ほど画面に交互に表示されることによってスライドショーが実行される。
【０２６３】
また、複数の静止画ファイルを設定された表示周期ほど画面に交互に表示するため、メイン制御部１６０は複数の静止画ファイルを順次にデコーディングする過程を繰り返すようにＭＰＥＧデコーダ１６３を制御する。
【０２６４】
Ｓ２２４５段階のようにスライドショーが実行される途中、遠隔制御器２００の操作によってスライドショーウィンドウ２１２０が選択されれば(Ｓ２２５０)、メイン制御部２６０は実行中の所定の静止映像を拡大してフルスクリーン化する(Ｓ２２５５)。すなわち、所定の静止映像はメイン制御部１６０の制御によってテレビ３００のサイズに対応して拡大され、プレイリスト画面に重畳表示される。フルスクリーンモードが実行された後もスライドショーは進行されることが望ましい。また、フルスクリーンを解除しようとする場合は、遠隔制御器２００を操作することによって解除できる。 
一方、Ｓ２２３０段階またはＳ２２５５段階の実行中、選曲された音響ファイルの再生が終了されれば(Ｓ２２６０)、メイン制御部１６０はスライドショーも終了させる(Ｓ２２６５)。また、Ｓ２２３０段階またはＳ２２５５段階の実行中、選曲された音響ファイルの再生が終了されれば(Ｓ２２６０)、メイン制御部２６０はスライドショーを実行し続けられるようにすることができる。
【０２６５】
一方、Ｓ２２３０段階でスライドショー具現の可能な複数の静止映像は現在選曲された音響ファイルと同一フォルダー内に記録されているだけではなく、記録媒体に記録された複数の静止画ファイルのうち多数個を選択してスライドショーを具現することもできる。
【０２６６】
前述したように、音響ファイルが再生中の時スライドショー機能が選択されれば、ＭＰＥＧデコーダ１６３が遊休状態の時複数の静止画ファイルを順次かつ反復的にデコーディングして出力することによって、別の機器を追加せずユーザに視聴覚的に一層効果的な情報を伝達することができる。
【実施例１１】
【０２６７】
以下、図４８ないし図５１を参照して、本発明の第１１実施例であるディスクプレーヤ１５５に挿入されたＤＶＤまたはＣＤのようなディスクに自動再生の可能なファイルを自動再生する機能について説明する。
【０２６８】
図４８は本実施例による自動再生の可能なファイルが記録された記録媒体が挿入されれば、ファイルの種類を問わず自動再生させる自動再生の可能な映像記録/再生装置の制御方法の説明に提供されるフローチャートであり、図４９ないし図５１はディスクプレーヤ１５５にディスクが挿入された時テレビ３００に表示されるファイルリスト画面及び自動再生リスト画面を示す図である。
【０２６９】
まず、ＤＶＤまたはＣＤのようなディスクには多様な拡張子を有する多数のファイルが記録可能である。例えば、１枚のディスクには同じオーディオファイルであっても'mp3'、'wma'、'wav'などの相違の拡張子を有する多数のファイルが記録されうる。また、１枚のディスクにはオーディオファイルだけではなく、動映像ファイルまたは静止画ファイル、テキストファイルなど異なる特性を有するファイルが記録されうる。
【０２７０】
一方、ディスクプレーヤ１５５にＣＤのようなディスクが挿入されれば、メイン制御部１６０はディスクプレーヤ１５５のローディングによってディスクに記録された全体ファイルそれぞれについてストリームタイプ(Stream  Type)を確かめる(Ｓ２３１０、Ｓ２３２０)。これは、ディスクに記録された全体ファイルのデコーディング可否をストリームタプによって判断できるからである。
【０２７１】
Ｓ２３２０段階で確認されたストリームタイプによって、ディスクに記録された多数のファイルのうちデコーディングの可能なファイルが存在することと判断されれば(Ｓ２３３０)、メイン制御部１６０はデコーディングの可能なファイルの拡張子タイプが少なくとも二つであるかを確認する(Ｓ２３４０)。
【０２７２】
Ｓ２３４０段階で拡張子タイプが少なくとも二つであると確認されれば、メイン制御部１６０はそのうち自動再生の可能なファイルが存在するのかを判断する(Ｓ２３５０)。自動再生の可能なファイルの代表的な例としては'wav'拡張子で記録されたオーディオファイルが挙げられる。
【０２７３】
すなわち、Ｓ２３５０段階でデコーディングの可能なファイルのうち'*．wav'ファイルが存在すれば、メイン制御部１６０は'*．wav'ファイルを自動再生させ、図４９に示したようなデコーディングの可能なファイルのリスト画面を提供する(Ｓ２３６０)。
【０２７４】
図４９に示されたファイルリスト画面の中段領域に表示されるデコーディングが可能なファイルは多様な拡張子(例えば、'wav'、'mp3'、'jpg'、'mpg'のうち少なくとも二つ)を有し、そのうち自動再生の可能な'wav'拡張子を有するファイルが存在することによって、メイン制御部１６０は'wav'拡張子を有するファイルが自動再生されるようデジタルオーディオ信号出力端子１１７を制御する。
【０２７５】
そして、Ｓ２３６０段階の実行中、遠隔制御器２００の操作によって自動再生停止信号が受信されれば（Ｓ２３７０）、メイン制御部１６０は自動再生されている'*.wav'音楽ファイルの再生を停止させ、テレビ３００に図４９のようなファイルリスト画面だけを表示させる（Ｓ２３８０）。
【０２７６】
一方、Ｓ２３４０段階でデコーディングの可能なファイルの拡張子タイプが１種類の場合、メイン制御部１６０はディスクに記録されたファイルを自動再生させ、図５０に示したような自動再生されるファイルのリスト画面を提供する(Ｓ２３６０)。
【０２７７】
図５０において、ディスクに挿入されたデコーディング及び自動再生の可能なファイルの拡張子が１種類(例えば、'wav'、'mp3'、'jpg'、'mpg'のうち一つ)の場合、そのファイルのファイル名を自動再生リスト画面の中段領域に表示した。
【０２７８】
図５０の自動再生リスト画面はディスクプレーヤ１５５に挿入されたディスクに自動再生が可能な'wav'拡張子を有するファイルだけが記録されている場合である。すなわち、メイン制御部１６０はＳ２３４０段階で、拡張子タイプが'wav'だけではなく'jpg'などのように１種類でだけ記録された場合もそれに対するファイルが自動再生されるよう制御することができる。
【０２７９】
また、Ｓ２３３０段階でディスクに記録された多数のファイルのうちデコーディングの可能なファイルが存在しないことと判断されれば、メイン制御部１６０は自動再生未実行及び図５１に示したようなメニュー画面を提供する(Ｓ２３９０)。
【０２８０】
図５１には、ディスクにはデコーディングの可能なファイルが全く記録されていないことによって、ファイルリスト画面の中段領域には何れのファイルリストも表示されないことが分かる。
【０２８１】
前述したような映像記録/再生装置１００の自動再生方法において、Ｓ２３５０段階で'wav'拡張子を有するファイル以外に他の拡張子を有するファイルがあることと確認されれば、メイン制御部１６０は相異なる拡張子タイプに優先順位を付して、優先順位に応じてファイルを自動再生させることも可能である。例えば、ディスクに'wav'及び'mp3'の拡張子を有する多様なファイルが記録された場合、メイン制御部１６０は'wav'拡張子を有するファイルを先に自動再生させた後、'mp3'拡張子を有するファイルを自動再生させうる。
【実施例１２】
【０２８２】
以下、図５２を参照して、本発明の第１２実施例である音楽ＣＤを再生する際、画面に音楽ＣＤに対する付加情報を表示する機能について説明する。
【０２８３】
まず、ディスクプレーヤ１５５に音楽ＣＤを挿入し、図８に示されたメニュー項目５３１〜５３４のうち“CD  Playlist”メニュー項目５３３を選択すれば、テレビ３００には図５２のようなＣＤプレイリスト画面が表示される。
【０２８４】
ＣＤプレイリスト画面には音楽ＣＤのＴＯＣ(Table  Of  Content)領域に記録された情報に基づき再生可能な音響ファイルの個数２４１０がディスプレイされる。参照符号２４２０は音響ファイルの種類に対応するアイコンを表示したものである。参照符号２４３０はそれぞれの音響ファイルの再生時間である。参照符号２４４０はそれぞれの音響ファイルについて付与されたネームであって基本値は"TRACK"と表示され、遠隔制御器２００を操作しなくても一番目の音響ファイルであるTRACK０１にカーソルが位置する。この際、視聴者が遠隔制御器２００の上下方向キー２１７、２１９を押して表示された音響ファイルTRACK０１〜TRACK０８のうちいずれか一つにカーソルを位置させエンターキー２２１を押せば、カーソルが位置した音響ファイルが選択され再生される。すなわち、視聴者はディスクプレーヤ１５５で音楽ＣＤを再生する時、スピーカで音声信号を聴取しつつ画面では音楽ＣＤに対する付加情報が分かり、所望の曲を選択して聴取することもできる。
【実施例１３】
【０２８５】
以下、図５３ないし図６０を参照して、本発明の第１３実施例である光記録媒体に記録されたファイルを大容量の磁気記録媒体で複写する際同一ファイル名を有するファイルについてはスキップして複写する機能について説明する。
【０２８６】
まず、図８に示されたメニュー項目５３１〜５３４のうち“CD  Copy  to  HDD”メニュー項目５３４を選択すれば、テレビ３００には図５３のようなコピーメニュー画面が表示される。
【０２８７】
図５３を参照すれば、コピーメニュー画面の上段領域の第１ブロックにはCD  Copy  to  HDDメニュー項目に対応する“COPY”が表示されており、第２ブロックにはＣＤの最上位フォルダー名である“ROOT”が表示されている。
【０２８８】
そして、複写メニュー画面の中段領域にはＣＤの最上位フォルダーに記録された下位フォルダーが表示される。図５３に示した通り、“ROOT”フォルダーの下位フォルダーには'*.mp３'ファイルに記録された音楽ファイルが記録された“MP3”フォルダー、音楽ファイル及び絵ファイルが複合された“MP3+PHOTO”フォルダー及び絵ファイルだけが記録された“PHOTO”フォルダーが記録されていることが分かる。
【０２８９】
また、中段領域の右側領域には選択されたフォルダー及びファイルに対する情報(例えば、曲名、歌手及び再生時間)を表示する情報表示ウィンドウ２５１０、ＨＤＤ１５１の記憶容量のうち使われた容量(Used)及び残り容量(Free)を示す記憶容量表示バー２５２０及び中段領域にリストアップされたフォルダー及びファイルの全選択(select  all)及び選択取り消し(clear  all)を決定するための選択キー２５３０、取り消しキー２５４０及び複写キー(Copy  to  HDD)２５５０が設けられている。
【０２９０】
まず、ユーザは図５３に示されたフォルダーリストのうちＨＤＤ１５１で複写するためのファイルが記録されているフォルダーを選択する。ユーザのキー操作によって、図５３に示されたフォルダーリストのうち“MP3”フォルダーが選択されれば、図５４のように“MP３”フォルダーに記録されたファイルがリストアップされる。
【０２９１】
一方、ディスクプレーヤ１５５に挿入されたＤＶＤまたはＣＤには動映像ファイル、静止画ファイル及びオーディオファイルを含んだ各種ファイルが記録できる。例えば、'*．mp３'、及び'*．wav'の拡張子よりなるオーディオファイル、'*．mpg'の拡張子よりなる動映像ファイル及び'*．jpg'の拡張子よりなる静止画ファイルが記録される。
【０２９２】
しかし、本発明に係る“ジュークボックス”はディスク音響ファイルのリストだけリストアップされるよう具現されている。例えば、ジュークボックスで再生可能なファイルの拡張子が'mp３'と設定されている場合、相違の拡張子を有する多数のファイルが記録された記録媒体が挿入される場合も自動再生が可能な'*．mp３'ファイルリストだけ表示される。従って、図５４には“MP３”フォルダーに記録された音楽ファイルのうち'*.mp３'で記録されたファイルだけリストアップされている。一方、必ずこれに限られないが、ユーザの選択に応じてＣＤやＤＶＤに記録された全てのファイルの目録が表示されるよう具現できることは勿論である。
【０２９３】
中段領域にリストアップされた音楽ファイルリストのうち、複写対象音楽ファイルが表示されたカーソルを移動させ選曲する。選曲された音楽ファイルは図面のように'√'マークで表示される。リストアップされた音楽ファイルを全て選択しようとする場合、全選択キー２５３０を選択する。そして、選択された音楽ファイルに対する複写機能を実行させようとする場合は複写キー２５５０を選択すべきである。
【０２９４】
ユーザは複写キー２５５０を選択した後、選択された複写対象ファイルを複写するための記録位置を選択すべきである。従って、ユーザによって複写キー２５５０が選択されれば、図５５のようにＨＤＤプレイリスト画面が表示される。ＨＤＤプレイリスト画面上段領域の第１ブロックには現在表示されるフォルダーがＨＤＤ１５１のフォルダーであることを知らせる“ＨＤＤ”が表示されており、第２ブロックにはＨＤＤ１５１の最上位フォルダー名である“ROOT”が表示されている。
【０２９５】
そして、中段領域にはＨＤＤ１５１の最上位フォルダーに記録された下位フォルダーが表示されている。図面のように、“ROOT”フォルダーの下位フォルダーには“MP３”フォルダー、“MP３+PHOTO”フォルダー及び“PHOTO”フォルダーが記録されている。そして中段領域の右側領域には複写機能を実行するための実行キー(execution)２５６０と新たなフォルダーを作成するためのフォルダー作成キー(folder  creation)２５７０が設けられている。
【０２９６】
ユーザは複写対象ファイルを記録する位置に該当するフォルダーを選択する。図５５に示されたＨＤＤ１５１のフォルダーリストのうち“MP3+PHOTO”フォルダーを複写対象ファイルを記録するためのフォルダーとして選択した後実行キー２５６０を選択すれば複写作業が行われる。実行キー２５６０信号が受信されれば、メイン制御部１６０は図５６のように選択した複写対象ファイルを選択されたＨＤＤ１５１のフォルダーで複写する。この際、メイン制御部１６０は複写が進行されることを知らせる複写進行状態表示画面２５８０がＨＤＤプレイリスト画面の所定部分に重畳表示されるよう処理する。
【０２９７】
また、メイン制御部１６０はＨＤＤ１５１に複写対象ファイルと同一なファイルが存在すると判断すれば、該当ファイルについてスキップ(skip)処理する。すなわち、メイン制御部１６０はＨＤＤ１５１に複写対象ファイルと同一名のファイルが存在する場合、該当ファイルについては複写作業を行わない。
【０２９８】
望ましくは、メイン制御部１６０はＨＤＤ１５１に複写対象ファイルと同一なファイルが存する場合、図５７のように該当ファイルを複写するか否かを遠隔制御器２００を通して選択できるファイル複写選択画面２５８５がＨＤＤプレイリスト画面の所定部分に重畳表示されるように処理する。この際、受光部１７１を通して該当ファイル複写命令である'Yes'選択信号が受信されれば、メイン制御部１６０はＨＤＤ１５１に記録されたファイルを現在ファイルに置き換えるために重ね書きを行わせる。これとは違って、'No'が選択されれば、該当ファイルに対する複写作業を行わない。
【０２９９】
一方、図９に示されたメニュー項目５４１〜５４４のうち“CD  Copy  to  HDD”メニュー項目５４４を選択した場合、前述したような方法を用いてディスクプレーヤ１５５に挿入されたＣＤまたはＤＶＤに記録された静止画ファイルをＨＤＤ１５１に記録できる。静止画ファイルの場合、前述した音楽ファイルとファイルの形式が違うだけ、複写方法は同一なので詳細な説明は省略する。
【０３００】
また、以上ではＣＤまたはＤＶＤに記録されたファイルをＨＤＤ１５１で複写する際、ＣＤまたはＤＶＤに記録されたフォルダー/ファイルのリスト及びＨＤＤ１５１に記録されたフォルダー/ファイルのリストをそれぞれ別の画面に表示したが、図５８に示されたメニュー画面のように、ＨＤＤ１５１に記録されたフォルダー/ファイルのリスト及びＣＤまたはＤＶＤに記録されたフォルダー/ファイルのリストが１画面に表示されるよう具現できることも勿論である。
【０３０１】
図５８に示されたように、ＨＤＤ１５１に記録されたフォルダー及びＣＤに記録されたフォルダーリストが表示されれば、フォルダー及びフォルダーに記録されたファイルを複写しようとする記録フォルダーを選択する。同図によれば、ＣＤに記録された'MP３'フォルダーが選択されＨＤＤ１５１に記録された'MP３'フォルダーが選択された場合、図５９のようにプレイリスト画面にＣＤの'MP３'フォルダーに記録された音楽ファイルのリスト及びＨＤＤ１５１の'MP３'フォルダーに記録された音楽ファイルのリストがリストアップされる。ＨＤＤ/ＣＤプレイリスト画面の中段領域の左側領域にリストアップされた音楽ファイルのうちＨＤＤ１５１の'MP３'フォルダーで複写する複写対象ファイルの選択信号及び複写キー２５９０信号が受信されれば、メイン制御部１６０は選択された複写対象ファイルを順次にＨＤＤ１５１で複写する。この際、メイン制御部１６０はＨＤＤ１５１に存在する同一ファイルについてはスキップ処理する。その以降の動作過程は前述したことと同様なので詳細な説明は省く。
【０３０２】
以下では本実施例による、光記録媒体に記録されたファイルを大容量の磁気記録媒体で複写する際、同一ファイル名を有するファイルについてはスキップして複写できる映像記録/再生装置の制御方法について図６０を参照して説明する。
【０３０３】
図６０を参照すれば、ディスクプレーヤ１５５に挿入されたＣＤまたはＤＶＤのような光記録媒体に記録されたファイルをＨＤＤ１５１で複写するためには、まず図５の初期メニュー画面４００で“ジュークボックス”メニュー項目５３０または“フォトアルバム”メニュー項目５４０を選択すべきである。
【０３０４】
以下、“ジュークボックス”メニュー項目５３０及び“フォトアルバム”メニュー項目５４０のうち“ジュークボックス”メニュー項目５３４が選択された場合に例えて説明する。
【０３０５】
まず、遠隔制御器２００のメニューキー２１１を押せば(Ｓ２６００)、図５に示したような初期メニュー画面４００がテレビ３００に表示される(Ｓ２６１０)。
【０３０６】
図５に示された初期メニュー項目５１０〜５５０のうち“ジュークボックス”メニュー項目５３０を選択すれば(Ｓ２６２０)、図８に示した通り、選択した“ジュークボックス”メニュー項目５３０のサブメニューがテレビ３００に表示される(Ｓ２６３０)。
【０３０７】
図８に示したメニュー項目５３１〜５３４のうち“CD  Copy  to  HDD”メニュー項目５３４を選択すれば(Ｓ２６４０)、テレビ３００には図５３に示したような、コピーメニュー画面が表示される(Ｓ２６５０)。
【０３０８】
コピーメニュー画面にはディスクプレーヤ１５５に装着されたＣＤに記録されたフォルダー及び/またはファイルリストが表示される。ユーザはリストアップされたフォルダー/ファイルリストのうち複写対象音楽ファイルを選曲した後複写キー２５５０を選択する。受光部１７１を通して複写キー２５５０信号が受信されれば(Ｓ２６６０)、テレビ３００には図５５に示したようなＨＤＤプレイリスト画面が表示される(Ｓ２６７０)。
【０３０９】
そして、図５５のＨＤＤプレイリスト画面にリストアップされたＨＤＤ１５１の'ROOT'フォルダーに記録された下位フォルダーのうち複写対象ファイルを記録するフォルダー選択信号が受信されれば(Ｓ２６８０)、メイン制御部１６０は選択されたフォルダーに複写対象ファイルを複写する複写作業を行なう(Ｓ２６９０)。この際、メイン制御部１６０は図５６のように複写進行状態を表示する複写進行状態表示画面２５８０がＨＤＤプレイリスト画面の所定部分に重畳表示されるよう処理する。
【０３１０】
一方、複写作業遂行中メイン制御部１６０がＨＤＤ１５１の選択されたフォルダーに複写対象ファイルと同一ファイルが存在すると判断すれば(Ｓ２７００)、メイン制御部１６０は同一ファイル名についてはスキップ処理した後複写作業を行ない続ける(Ｓ２７１０)。ＨＤＤ１５１の選択されたフォルダーに複写対象ファイルと同一なファイルが存する場合、メイン制御部１６０は図５７のように、スキップ処理前にユーザによってファイルを複写するか否かを選択できるようにファイル複写選択画面２５８５がＨＤＤプレイリスト画面の所定部分に重畳表示されるよう処理する。そして、メイン制御部１６０はユーザのファイルを複写するか否かの選択信号に対応してファイルを複写するか否かを決定する。
【０３１１】
そして、ファイル複写作業が完了されれば(Ｓ２７２０)、メイン制御部１６０はファイル複写作業を終了させ、完了されない場合Ｓ２６９０段階に転換してファイル複写作業を行ない続ける。
【０３１２】
一方、Ｓ２６２０、Ｓ２６４０及びＳ２６８０段階において、各選択信号が受信されなければそれぞれＳ２６２５、Ｓ２６４５及びＳ２６８５段階のように遊休状態(idle)を維持する。
【実施例１４】
【０３１３】
以下、図６１及び図６２を参照して、本発明の第１４実施例であるＣＤ-ＤＡ(Compact  Disk-Digital  Audio)規格を有するオーディオデータを圧縮貯蔵する機能について説明する。
【０３１４】
図６１は本発明の実施例１４による、ＣＤ-ＤＡ規格を有するオーディオデータを圧縮貯蔵できる映像記録/再生装置の制御方法の説明に提供されるフローチャートであり、図６２は図８に示されたCD  Copy  to  HDDメニュー項目を選択した場合にテレビに表示されるメニュー画面の他の例を示す図である。
【０３１５】
まず、図８に示されたメニュー項目５３１〜５３４のうち“CD  Copy  to  HDD”メニュー項目５３４を選択すれば、ディスクプレーヤ１５５は挿入された媒体がＣＤ-ＤＡ規格の音楽ＣＤであるかを判断する(Ｓ２８００)。判断結果ディスクプレーヤ１５５に挿入されたディスクがＣＤ-ＤＡ規格による音楽ＣＤの場合、ＣＤ-ＤＡ規格によってファイルの形態に記録されるオーディオデータのファイル名とそれによる付加情報(例えばファイルのサイズ、再生時間など)をメニュー画面にディスプレイし(Ｓ２８１０)、ディスクプレーヤ１５５にＤＶＤが挿入される際これを再生して画面にディスプレイする(Ｓ２８５０)。
【０３１６】
そして、ディスプレイされたメニュー画面からオーディオデータのファイル名を選択する(Ｓ２８２０)。メニュー画面でファイル名は一つまたはそれ以上を選択することができる。
【０３１７】
次いで、メニュー画面で選択されたファイル名に対応するオーディオデータに対する圧縮フォーマット及びサンプリングレートを設定する(Ｓ２８３０)。ＭＰＥＧフォーマットによってオーディオデータを圧縮するフォーマットとしては今のところ一番広範に使用されるＭＰ３、マイクロソフト社のメディアプレーヤプログラムで支援されるＷＭＡ(Windows（登録商標）  Media  Audio  codec)、ＭＰＥＧ-２及びＭＰＥＧ-４を支援するドルビー社のＡＡＣ(Advanced  Audio  Coding)、ＭＰ３のサンプリングレートを可変できるMP３pro、ネットワーク環境下でオーディオとビデオをストリーミング(streaming)するのに有利なＡＳＦ(Advanced  Streaming  Format)などがある。これら圧縮フォーマットはＭＰＥＧ-２やＭＰＥＧ-４に基づきオーディオデータを圧縮して、オーディオデータをＣＤ-ＤＡ規格に比べて１/１０ほどに減らす。次いで、ディスプレイされたメニュー画面で前述したフォーマットのうちいずれか一つを選択した後、選択されたオーディオデータのサンプリングレートを選択する。オーディオデータのサンプリングレートは通常３２Kbps〜１９２Kbpsのうちいずれか一つを選択する。
【０３１８】
最後に、選択された圧縮フォーマットとサンプリングレートによってオーディオデータを圧縮した後、これをＨＤＤ１５１に記録する(Ｓ２８４０)。これによって、ＨＤＤ１５１にはＣＤ-ＤＡ規格のオーディオデータをそのまま記録することに比べてさらに多くのオーディオデータを記録することができる。
【０３１９】
一方、図８に示されたメニュー項目５３１〜５３４のうち“CD  Copy  to  HDD”メニュー項目５３４を選択すれば、テレビ３００には図６２のようなコピー画面が表示される。
【０３２０】
図６２に表示されたチェックボックスメニュー２９２０にはユーザが選択したァイルが表示され、ファイル名表示部２９３０にはＣＤ-ＤＡ規格によって音楽ＣＤに記録されたファイル名が表示される。通常ＣＤ-ＤＡ規格で記録されたファイルのファイル名はTRACK０１〜TRACK０８のように表示される。
【０３２１】
フォーマット設定メニュー２９４０はフラッシュメモリ１６５に記録された変換プログラムによって変換可能なフォーマットのうち一つを選択するメニューであって、それぞれのフォーマット名(MP3、ogg、ACC、WMA、ASF、MP3pro)の左側にチェックボックスを備える。フォーマット設定メニュー２９４０で圧縮フォーマットが選択されれば、サンプリングレート設定メニュー２９５０が画面にポップアップ(pop-up)される。すなわち、フォーマット設定メニュー２９４０で所定フォーマットを選択すれば、サンプリングレートを設定するためのサブメニューを別に呼出さなくても画面にサンプリングレート設定メニュー２９５０がディスプレイされる。
【０３２２】
サンプリングレート設定メニュー２９５０はフォーマット設定メニュー２９４０から選択されたフォーマットに適用するサンプリングレートを設定する。通常、サンプリングレートが低ければ圧縮率が増加することに比べて音質が劣化し、サンプリングレートが高ければ音質は優秀になるものの、圧縮率は低まる。
【０３２３】
ファイルサイズ表示部２９６０はフォーマット選択メニュー２９４０とサンプリングレート設定メニュー２９５０で選択されたフォーマット及びサンプリングレートによって、ディスクプレーヤ１５５で読み出されたＣＤ-ＤＡ規格のオーディオデータの最終圧縮結果、すなわち圧縮されたオーディオデータの容量を示す。
【０３２４】
ファイル記録メニュー２９７０はファイルのフォーマット、選択されたフォーマットに適用されたサンプリングレートによって圧縮されたオーディオデータをＨＤＤ１５１に記録するためのメニューを示す。
【０３２５】
選択解除メニュー２９９０はチェックボックスメニュー２９２０によって選択されたファイルを選択解除するためのものである。全体選択メニュー２９８０は全てのオーディオデータを選択するためのものである。以上述べたように、ディスクプレーヤ１５１にＣＤ-ＤＡ規格のオーディオデータが印加される時、これを所定のフォーマットとサンプリングレートによって圧縮した後ＨＤＤ１５１に記録することによってＣＤ-ＤＡ規格によるオーディオデータをさらに多く記録することができる。また、メニュー画面でファイルフォーマットを設定すれば、サンプリングレートを設定するためのメニュー２９５０が画面にポップアップされディスプレイされることによって遠隔制御器２００で一々サブメニューを選択しなくとも良い。すなわち、フォーマット設定メニュー２９４０で所定のフォーマットが選択されれば、サンプリングレート設定メニュー２９５０が自動的に画面にポップアップされることによって、サンプリングレート設定メニューを画面にディスプレイするために遠隔制御器２００に備えられるキーを一々押さなくても良い。
【実施例１５】
【０３２６】
以下、図６３ないし図６５を参照して、本発明の第１５実施例である静止画ファイルを所定の表示領域に表示する場合、所定の表示領域の画面サイズに基づき静止映像の画面サイズを適応的に調整して表示する機能について説明する。
【０３２７】
まず、図９に示されたメニュー項目５４１〜５４４のうち“HDD  Playlist”メニュー項目５４１を選択すれば、ＨＤＤ１５１に記録された静止画ファイルに対するリストが、“CD  Playlist”メニュー項目５４３を選択すれば、ディスクプレーヤ１５５に挿入されたＣＤに記録された静止画ファイルに対するリストが、テレビ３００に図６３に示したように表示される。
【０３２８】
本実施例では“HDD  Playlist”メニュー項目５４１を選択した場合に例えて説明する。すなわち、図６３に示されたプレイリスト画面はＨＤＤ１５１に記録された複数の静止画ファイルに対するリストと仮定する。
【０３２９】
図６３に示されたプレイリストにはＨＤＤ２５１の'Root'フォルダーの下位フォルダー('Flower'と'River')二つと複数の静止画ファイルが表示されている。このうち、再生しようとする静止画ファイルは遠隔制御器２００を操作して選択し、選択された静止画ファイルは静止画ファイル名の横にチェックされる
【０３３０】
【数７】
2004215281.tif 000011
表示によって分かる。
【０３３１】
ここで、選択された静止画ファイルに対する表示要請信号、すなわち再生命令が印加されれば、テレビ３００には図６４のようなメニュー画面が表示される。図６４は選択された静止画ファイルに対する静止映像が表示されるプレイリスト画面を示す図である。
【０３３２】
図６４を参照すれば、プレイリスト画面は静止映像が表示される８個の表示領域(aないしh)を有し、各表示領域(ａないしｈ)には図６３の画面で選択された静止映像が表示される。すなわち、選択された静止画ファイルに対する再生命令が印加されればサムネイル(thumbnail)が具現されたプレイリスト画面がリストアップされ、この際表示領域(ａないしｈ)に表示される静止映像の画面サイズは表示領域(ａないしｈ)のサイズと一致または非一致する。
【０３３３】
表示領域(ｃないしｆ)に表示された通り、互いの画面サイズが一致する場合は、ＨＤＤ１５１に記録された静止映像の画面縦横比と表示領域(ｃないしｆ)について既に設定された画面縦横比が一致することを指す。すなわち、静止画ファイルに対する映像信号を表示領域(ｃないしｆ)の画面サイズと同一になるようスケーリングした場合である。
【０３３４】
一方、表示領域(ａ及びｂ)に表示された通り、互いの画面サイズが一致しない場合にはＨＤＤ２５１に記録された静止映像の画面縦横比と表示領域(ａ及びｂ)について既に設定された画面縦横比が一致しないことを指し、この場合は表示領域(ａ及びｂ)の画面縦横比及び/または画面サイズに基づき静止画ファイルに対する映像信号を映像信号の画面サイズに応じて適応的にスケーリングする。
【０３３５】
表示領域(ｇ及びｈ)の場合は静止映像が表示されないことを示す。
【０３３６】
また、プレイリスト画面に表示される表示領域(ａないしｈ)の個数は８個に限定しないことが望ましく、表示領域の画面縦横比及び/または画面サイズは遠隔制御器２００の操作によって既に選択されたりあるいは製品量産過程において設定された初期値が適用されうる。本実施例では８個の表示領域それぞれについて４:３の画面縦横比が適用され、それに対応する適切なサイズを有する場合を例として説明する。
【０３３７】
サムネイル具現のための静止映像のスケーリングについては図６５を参照してさらに詳述する。図６５は本実施例による、静止画ファイルを所定の表示領域に表示する場合、所定の表示領域の画面サイズに基づき静止映像の画面サイズを適応的に調整して表示できる映像記録/再生装置の制御方法の説明に提供されるフローチャートである。
【０３３８】
まず、図９に表示されたメニュー項目５４１〜５４４のうち"HDD  Playlist"メニュー項目５４１を選択すれば、ＨＤＤ１５１に記録された静止画ファイルに対するリストが図６３に示したようにテレビ３００に表示される。
【０３３９】
そして、図６３のプレイリスト画面でサムネイル具現のための静止画ファイルが選択された後静止映像表示要請信号が受信されれば(Ｓ３０１０)、メイン制御部１６０は選択された静止画ファイルに対する映像信号をＨＤＤ１５１から読み出す(Ｓ３０２０)。
【０３４０】
Ｓ３０２０段階が行なわれると、メイン制御部１６０は読み出された映像信号の画素数、すなわち画面縦横比及び/または画面サイズ確認する(Ｓ３０３０)。読み出された映像信号の画面縦横比及び/または画面サイズが確認されれば、メイン制御部１６０は読み出された映像信号をデコーディングし、表示領域の画面縦横比に基づき読み出された映像信号の画面縦横比及び/または画面サイズを適応的にスケーリングするようＭＰＥＧデコーダ１６３を制御する(Ｓ３０４０)。
【０３４１】
詳述すれば、メイン制御部１６０は映像信号(画素数)の画面サイズによって静止映像の横長及び縦長のうちいずれか一つ(例えば、静止映像の縦長)が表示領域の横長及び縦長のうちいずれか一つ(例えば、静止映像の縦長)に対向する長さ(すなわち、表示領域の縦長)と同一に映像信号を所定比率でスケーリングするようＭＰＥＧデコーダ１６３を制御する。この際、メイン制御部１６０は静止映像の横長及び縦長のうちいずれか一つ以外の長さ(すなわち、静止映像の横長)も所定比率ほどスケーリングするようＭＰＥＧデコーダ１６３を制御する。
【０３４２】
遠隔制御器２００の操作によってテレビ３００または表示領域(ａないしｈ)の画面縦横比が４:３に選択された場合、ＭＰＥＧデコーダ１６３のスケーリングについて例えば説明すれば次の通りである。
【０３４３】
まず、縦長が横長より所定比率以上大きい映像信号がＨＤＤ１５１に記録された場合は、映像信号の縦長が映像信号の縦長に対応する表示領域aの縦長と同様にスケーリングし、スケーリングされる比率ほど映像信号の横長もスケーリングする。これにより、静止映像は図６４の表示領域ａのように具現される。ＨＤＤ１５１に記録された映像信号の縦長及び横長が同一な場合は映像信号の縦長及び表示領域の縦長が同一になるようスケーリングすることが望ましい。 
同様に、横長が縦長より所定比率以上大きい映像信号がＨＤＤ１５１に記録された場合は表示される映像信号の横長がそれに対向する表示領域ｂの横長と同一にスケーリングし、スケーリングされる比率ほど映像信号の縦長もスケーリングする。これにより、静止映像は図６４の表示領域ｂのように具現される。
【０３４４】
また、表示領域と同一な画面縦横比を有し、画面サイズは異なる映像信号がＨＤＤ１５１に記録された場合は、表示領域の画面サイズと同一な画面サイズを有するよう映像信号をスケーリングする。これにより、静止映像は図６４の表示領域ｃのように縮小表現される。Ｓ３０４０段階が行なわれると、メイン制御部１６０は図６４のようにスケーリングされた静止映像が表示されるプレイリスト画面がテレビ３００にリストアップされるよう処理する(Ｓ３０５０)。
【０３４５】
一方、前述した本発明に係る映像記録/再生装置１００において、サムネイル具現時再生される静止映像はＨＤＤ１５１のみならず、ディスクローディング部１５５によってローディングされるＣＤのような記録装置に記録された静止映像も前述したように再生可能である。
【０３４６】
また、サムネイル具現時再生される静止映像の画面縦横比及び/または画面サイズはテレビ３００の画面縦横比及び/または画面サイズによって適応的にスケーリングされることが望ましい。 
【実施例１６】
【０３４７】
以下、図６６ないし図６９を参照して、本発明の第１６実施例である、ユーザが映像記録/再生装置で支援する機能を容易に選択及び操作できるようにするメニュー画面を提供する機能について説明する。
【０３４８】
映像記録/再生装置１００の機能選択はメニュー画面をテレビ３００のようなディスプレイ装置に表示し、遠隔制御器２００の入力キーを用いてなされる。
【０３４９】
以下では、遠隔制御器２００のメニューキー２１１が選択された時、メイン制御部１６０がＧＵＩ貯蔵部１６５ａに貯蔵されたメニュー画面処理プログラムを実行してテレビ３００と接続された出力端子、例えばラインビデオ/オーディオ出力端子１１６を通してテレビ３００に提供されるメニュー画面について説明する。
【０３５０】
図６６に示した通り、初期メニュー画面４００は垂直方向に沿って三つの領域である上段領域４１０、中段領域４３０及び下段領域４５０に区画されている。
【０３５１】
メイン制御部１６０は上段領域４１０と下段領域４５０にはメニュー画面と関わる付加説明及びキー操作利用情報が表示されたイメージをディスプレイさせる。望ましくは、上段領域４１０は水平方向に沿って二つのブロックに区分し、左側ブロック４１１内に現在のメニュー画面に対応する項目情報である“MENU”を表示させる。
【０３５２】
中段領域４３０はユーザが選択できるメニューをＯＳＤ(On  Screen  Display)を用いてディスプレイし、左側に位置する第１ブロック４３１にはメインメニューが表示され、メインメニューのうちいずれか一つが選択された時、選択されたメインメニューに従属されるサブメニューを第１ブロック４３１の右側に位置する領域のうち第２ブロック４３３に該当する領域内に表示するようにすることが望ましい。このようにメイン制御部１６０がメニューの従属関係によって現在の選択メニューに対応する従属メニューをＯＳＤにリストアップした表示し、選択メニューより上位群に属するメニューを共に表示することによって、ユーザのメニュー選択経路を一気に見られてメニュー選択の便利を提供する。
【０３５３】
下段領域４５０にはメニュー画面４００の利用に対応する遠隔制御器２００のキー操作利用情報がイメージで表示される。同図によれば、下段領域４５０は上段領域４１０及び中段領域４３０の第１ブロック４１１、４３１と垂直状に並んで区画された第１ブロック４５１にキー操作利用と関わる案内文であることを知らせるための文字である“Instructions”が表示されており、第１ブロック４５１の右側の第２ブロック４５３には遠隔制御器２００に設けられたキーのうちディスプレイされた初期メニュー画面４００の利用に対応する使用可能キー及びその機能に対応する案内情報が表示されている。
【０３５４】
下段領域４５０に表示されたマーク及び案内情報を以下ではマークと通称し、その機能に対応するよう命名すれば、下段領域４５０にはカーソル移動案内マーク４６１、選択案内マーク４６３、リターン案内マーク４６５、及びExit案内マーク４６７が表示されている。下段領域４５０に表示されるマークは選択されたメニューによって遠隔制御器２００に支援されるキーが追加または削除される。
【０３５５】
カーソル移動案内マーク４６１は中段領域４３０内に選択自在に配列された項目についてカーソルを移動させるのに用いられるもので、遠隔制御器２００に設けられた方向キー２１３、２１５、２１７、２１９に対応する方向キーマーク及びキー操作利用情報である“Move”が表示されている。ここで、カーソルは遠隔制御器２００の方向キー２１３、２１５、２１７、２１９を操作する際現在カーソルが位置された項目について方向キー２１３、２１５、２１７、２１９の操作方向に該当する位置に配置された後の項目に移動することをユーザが認識できるよう表示処理することを通称するもので、別のマークまたは該当項目についてハイライト表示処理、陰影表示処理、色相変換処理など可能な多様な方法によって具現できる。
【０３５６】
選択案内マーク４６３はカーソルが位置する項目を選択する際利用するもので、遠隔制御器２００に設けられたエンターキー２２１に対応するマーク及びキー操作利用情報である“Enter”が表示されている。
【０３５７】
リターン案内マーク４６５は現在画面から以前画面に転換してディスプレイしようとする時利用するもので、遠隔制御装置２００に設けられたリターンキー２２３に対応するマーク及びキー操作利用情報である“Return”が共に表示されている。
【０３５８】
Exit案内マーク４６７はメニュー画面４００表示モードから他のモードに転換しようとする際、すなわちメニュー画面を閉じようとする際利用されるもので、遠隔制御器２００に存するメニューキー２１１に対応するマーク及びキー操作 利用情報である“Exit”が共に表示されている。
【０３５９】
ユーザは中段領域４３０内に表示された項目についてカーソルを移動しようとする時は遠隔制御器２００に設けられた上下左右方向キー２１３、２１５、２１７、２１９を利用すれば良い。
【０３６０】
また、ユーザはカーソルが位置したメニューを選択しようとする際遠隔制御器２００に設けられたエンターキー２２１を操作すれば、メイン制御部１６０はカーソルが位置したメニューの選択に対応する後続画面をディスプレイ装置に表示する。すなわち、カーソルが位置したメニューについて従属するサブメニューがある場合は前述したようなメニュー表示方式によってサブメニューを表示し、サブメニューがない場合は選択されたメニューの実行画面を中段領域４３０に表示する。
【０３６１】
望ましくは、メイン制御部１６０はカーソルが位置したメニューについて遠隔制御器２００に設けられた方向キー２１３、２１５、２１７、２１９のうち右方向キー２１５が選択された時、カーソルが位置したメニューについて従属するサブメニューがない場合はエンターキー２２１の操作と同様に処理して該当実行画面を中段領域４３０に表示する。
【０３６２】
また、メイン制御部１６０は初期メニュー画面４００をテレビ３００にローディングした状態でメニューキー２１１選択信号が入力されれば、メニュー画面がディスプレイ装置に表示されないようメニュー画面をアンローディング処理してメニュー画面を閉じる。
【０３６３】
このようなメニュー画面に対応して使用可能キーに関する情報はフラッシュメモリ１６５に記録される。メニュー画面がモード別に変更されれば、それによって使用可能キー情報も変更され、メイン制御部１６０はフラッシュメモリ１６５に記録された使用可能キーに関する情報を呼出してキー操作利用情報をディスプレイさせ、使用可能キーを除いた他のキーの出力信号を遮断する。
【０３６４】
図６７は図８のメニュー画面でユーザが“Juke  Box”メニュー項目のサブメニュー項目のうち“HDD  Playlist”メニュー項目５３１を選択して表示されたプレイリストのうち“MP3+PHOTO”フォルダーを選択した場合に表示される画面であって、上段領域４１０の左側ブロック４１１には選択されたメニューである“Juke  Box”を表示し、その右側にはＨＤＤ１５１のフォルダー内で選択された下位フォルダーである“MP3+PHOTO”フォルダーを選択した場合を表示し、中段領域４３０には前記“MP3+PHOTO”フォルダー内に記録されているファイルを表示している。
【０３６５】
下段領域４５０には“Juke  Box”表示画面で利用される遠隔制御器２００のキー操作利用情報が図６６のメニュー画面と相違に表示される。すなわち、図６６のキー操作利用情報に前記画面でだけ動作されるプレイリストキー(Play  List)４６８に対する情報と頁移動キー(Prev/Next  Page)４６９に対する情報がさらに追加され表示されている。プレイリストキー(Play  List)４６８はユーザが選択して再生しようとするリストを表示しようとする際使用されるキーであり、頁移動キー(Prev/Next  Page)４６９は現在の表示されている頁から前後頁に移動する際使用されるキーである。このように画面が変る毎にその画面に使われるキー操作利用情報をイメージを用いてディスプレイさせる。
【０３６６】
図６８は図６７のファイルリスト画面でユーザが再生しようとする所定個数のファイルを選択した後プレイリストキー(Play  List)４６８を使用した場合の変更されたメニュー画面を表示している。前記画面においても上段領域４１０の左側ブロック４１１には選択されたメニューの“Play  List”を、その右側には選択されたフォルダーが“MP３+PHOTO”ということを表示しており、中段領域４３０には前記“MP3＋PHOTO”フォルダー内に記録されているファイルのうち再生しようと選択された再生リストを表示する。
【０３６７】
また、下段領域４５０には“Play  List”表示画面で用いられる遠隔制御器２００のキー操作利用情報が図６６及び図６７のメニュー画面と相違に表示される。すなわち、図６８のキー操作利用情報から前記画面で使用できないプレイリスト(Play  List)４６８キーに対する情報を削除して表示する。
【０３６８】
前述したように画面が変る毎にユーザがキーを使用して選択可能な画面表示領域(本発明において中段領域)にはＯＳＤを使用して表示し、ＯＳＤ画面がディスプレイされない余白の上下画面にはイメージを使ってその画面に使われるキーに対する情報を表示する。ユーザが選択可能な画面はキー操作によって表示される内容の変動が激しいので、このような画面を全てイメージで処理しようとする場合大容量のメモリが必要になってコストアップになるため、内容が頻繁に変わる部分は画面の中段領域４３０にＯＳＤで表示し、その他の上下余白の空間である上段領域４１０と下段領域４５０は小容量のイメージで処理して表示する。
【０３６９】
以下では本実施例による、ユーザが映像記録/再生装置で支援する機能を容易に選択及び操作できるようにするメニュー画面を提供する映像記録/再生装置の制御方法について図６９を参照して詳述する。
【０３７０】
まず、電源が印加されれば(Ｓ３１１０)、映像記録/再生装置のシステムが初期化される(Ｓ３１１１)。初期化されたシステムの機能を選択するためにユーザが遠隔制御器２００のメニューキー２１１を操作すれば、メニュー画面表示信号が受光部１７１に入力される。メニュー画面表示信号が受信されれば(Ｓ３１２０)、メイン制御部１６０はフラッシュメモリ１６５で初期メニュー画面に対応して使用可能なキー情報を呼出す(Ｓ３１２１)。メイン制御部１６０は前記使用可能キー信号を除いた他のキー信号が入力されればこれを遮断するよう制御する(Ｓ３１２３)。また、メイン制御部１６０はＯＳＤを用いて作成されたメインメニューは画面の中段領域４３０に表示し、フラッシュメモリ１６５から呼出した使用可能キー情報が含まれたイメージ情報は上段領域４１０と下段領域４５０に表示されるよう合成してテレビ３００にディスプレイする(Ｓ３１２５)。
【０３７１】
そして、初期メニューの配列されたメニュー画面がディスプレイされた状態でユーザが遠隔制御器２００の方向キー２１３、２１５、２１７、２１９とエンターキー２２１を操作して特定メニューを選択し、メニュー選択信号が受光部１７１を通してメイン制御部１６０に入力されれば(Ｓ３１３０)、メイン制御部１６０は選択されたメニューに該当する使用可能キー情報をフラッシュメモリ１６５から呼出す(Ｓ３１３１)。呼出された使用可能キー情報を用いて使用可能キーを除いた他のキー信号は遮断し、使用可能キー情報が含まれたイメージ情報をフラッシュメモリ１６５から読み出し、また内蔵されたＯＳＤを用いてメインメニューは画面の中段領域４３０に上段領域４１０と下段領域４５０にはイメージ情報を合成したメニュー画面をテレビ３００にディスプレイする(Ｓ３１３３、Ｓ３１３５)。
【０３７２】
このようにユーザが遠隔制御器２００を用いてＯＳＤにディスプレイされたメニュー選択信号を入力すれば前記Ｓ３１３１、Ｓ３１３３、Ｓ３１３５段階を繰り返し、メイン制御部１６０は選択されたメニューに当る使用可能キー情報を含んだイメージ情報とＯＳＤでディスプレイされた前記メニュー選択信号でメニュー画面をディスプレイし、使用可能キーを除いた残りキー信号は遮断する。
【０３７３】
そして、キー操作利用情報が"Exit"と表示されたメニューキー２１１が入力されれば(Ｓ３１４０)、メイン制御部１６０はメニュー画面がディスプレイ装置に表示されないようメニュー画面をアンローディング処理してメニュー画面を閉じる。
【０３７４】
本実施例では画面の上下段領域にイメージを表示することと説明したが、キー操作利用情報が表示される下段領域のイメージを上段にだけ表示したり、下段にだけ表示されるようにして具現することもできる。
【実施例１７】
【０３７５】
実施例１７は本発明に係る第１７の目的を具現するためのもので、以下では記録されたプログラムを必要に応じて最初から再び再生しつつ、同時に受信されるプログラムを継続的に記録できる映像記録/再生装置及びその制御方法を添付した図７０ないし図７２を参照して説明する。
【０３７６】
図７０は図２に示されたハードディスクドライブの論理的な構造を概略的に示した図である。ハードディスクドライブ１５１はブート記録領域１５１ａ、ＦＡＴ領域１５１ｂ、データ記録領域１５１ｃ及びルートディレクトリ領域１５１ｄとを含む。
【０３７７】
ブート(Boot)記録領域１５１ａは記録領域分割(Drive  Partiton)に対する情報などハードディスクドライブ１５１の物理的構造に対する情報が記録される領域である。
【０３７８】
ＦＡＴ(File  Allocation  Table)領域１５１ｂは記録対象データがデータ記録領域１５１ｃのいずれのクラスタに位置しているかに対する状態情報が記録される領域である。もし大容量のファイルをハードディスクドライブ１５１に記録する場合、多数のクラスタに分割され記録される。もし、一つのファイルが複数のクラスタに分割されていても、このようなクラスタが常に連続的に位置することではなく、ハードディスクドライブ１５１に不連続的に分散され位置することも可能である。この場合、一つのファイルに関わる複数のクラスタの位置情報はハードディスクドライブ１５１のファイル配置表(FAT)によって管理される。すなわち、ＦＡＴ領域１５１ｂには後述するデータ記録領域１５１ｃの多数のクラスタのうちファイルが記録された少なくとも一つのクラスタに対する位置情報が記録される。この際、所定のファイルが多数のクラスタに分割され記録されれば、所定のファイルが記録された多数のクラスタに対するアドレスはＦＡＴ領域１５１ｂに連携され記録され、各クラスタに所定のデータが記録または削除される毎にＦＡＴ領域１５１ｂに記録された情報は更新される。
【０３７９】
データ記録領域１５１ｃは記録対象データが実質的に記録される領域であって、長期記録領域Ａ及び未記録領域Ｂに区分される。
【０３８０】
長期記録領域Ａはユーザから録画命令に従って記録対象データ(例えば、映像/音響信号)をファイル化して長期間記録する非揮発性記録領域である。長期記録される記録対象データのファイルはユーザの好みによって編集可能である。
【０３８１】
未記録領域Ｂは何れのデータも記録されていない領域を指し、時間遅延視聴機能のために臨時記録領域Ｂ１が適応的に割当てられ、臨時記録領域Ｂ１を除いた残り領域は空記録領域Ｂ２として残存する。
【０３８２】
これを詳しく説明すると、臨時記録領域Ｂ１は時間遅延視聴機能のために現在視聴中のプログラムを臨時記録するための揮発性記録領域であって、外部から受信されるプログラムを先入先出(First  In  First  Out:FIFO)方式によって臨時記録されうる領域である。
【０３８３】
また、臨時記録領域Ｂ１に臨時記録されたプログラムについて長期記録命令が印加されれば、そのプログラムは長期記録領域Ａのうちデータが記録されていない領域に長期記録される。
【０３８４】
ルートディレクトリ(Root  Directory)領域１５１ｄはデータ記録領域１５１ｃに長期記録及び臨時記録された記録対象データの属性情報及び位置情報などが記録される領域であって、記録対象データの属性情報及び位置情報が記録された多数の記録クラスタ及び属性情報及び位置情報が記録されていない多数の未記録クラスタに区分づけられる。メイン制御部１６０によって生成されるファイルの属性情報は記録対象データのファイル名、ファイル容量、記録された日付/時間、画質情報、音質情報などを含み、位置情報は記録対象データの記録開始アドレス及び記録終了アドレスを含む。ここで、ファイルに対する記録、削除のような編集動作が行なわれる毎にＦＡＴ領域１５１ｂの状態情報及びルートディレクトリ領域１５１ｄの属性情報、位置情報は更新される。
【０３８５】
ルートディレクトリ記録領域１５１ｄは所定の記録対象データ生成時メイン制御部１６０によって生成される'*．map'ファイルによってタイムマップ(Time Map:TMAP)構造を有する。タイムマップによって記録対象データはそれに対応するＦＡＴ領域１５１ｂに記録された位置情報及び属性情報領域に記録された属性情報と連携される。  
受信されるプログラムが臨時記録される臨時記録領域Ｂ１の設定のためのメニュー画面処理に関して、図７１及び図７２を参照して説明すれば次の通りである。
【０３８６】
図７１には、図５に示された初期メニュー項目５１０〜５５０のうち“Set-Up”メニュー項目５５０が選択され、“Set-Up”メニュー項目５５０のサブメニュー(第１サブメニュー)として、“Language”メニュー項目、“Channel”メニュー項目、“Clock  Setting”メニュー項目、“Buffer  time”メニュー項目、“Audio  option”メニュー項目、“Display  option”メニュー項目、“TV  Type”メニュー項目が表示された画面を示した。また、図７１には第１サブメニュー項目のうち“Buffer  time”メニュー項目が選択された場合に表示される“Buffer  time”メニュー項目のサブメニュー(第２サブメニュー)も共に示した。
【０３８７】
図７１を参照すれば、第１サブメニューのうち“Buffer  Time”は選択された映像信号生成ソースから受信されるプログラムを先入先出方式によって第２サブメニューで支援される所定分ほど臨時記録領域Ｂ１に臨時記録されるよう設定したい時利用される時間遅延機能である。このような時間遅延機能は一般に所定の放送プログラムがテレビ３００に再生されると同時に、臨時記録領域Ｂ１に臨時記録される際有用に使われる。
【０３８８】
すなわち、図７１のような画面で所定のバッファタイムが遠隔制御器２００によって選択されれば、選択されたバッファタイムに該当する分ほどのバッファ領域、すなわち臨時記録領域Ｂ１が未記録領域Ｂに割当てられる。例えば、第２サブメニューの中遠隔制御器２００によって選択されたバッファタイムが“１Ｈｒ”の場合、臨時記録領域Ｂ１は受信されるプログラムを“１時間”分ほど臨時記録できるよう未記録領域Ｂの一部に割当てられ、選択されたバッファタイムが"オート"の場合臨時記録領域Ｂ１は未記録領域Ｂの容量ほど受信されるプログラムを臨時記録できるよう未記録領域Ｂの全体に割当てられ、選択されたバッファタイムが"オフ"の場合、臨時記録領域Ｂ１は全く割当てられないことによって受信されるプログラムは臨時記録されない。
【０３８９】
そして、割当てられた臨時記録領域Ｂ１に現在再生中のプログラムが臨時記録中の場合、再生中のプログラムが臨時記録される初期クラスタの位置情報、すなわち臨時記録領域Ｂ１の記録開始位置はルートディレクトリ領域１５１ｄに記録される。
【０３９０】
ここで、映像信号生成ソースから視聴可能な信号に受信されるプログラムの映像/音響信号は地上波放送、衛星放送、光記録媒体に記録された信号をローディングするディスクプレーヤ１５５のうち少なくともいずれか一つから支援される信号である。
【０３９１】
図７２は図２のハードディスクドライブ１５１に臨時記録された映像/音響信号を再生するための方法を説明するためのフローチャートである。
【０３９２】
図７２を参照すれば、電源がオンされた後、所定の映像信号生成ソースから受信されるプログラムに対する再生要請命令が遠隔制御器２００から入力されれば(Ｓ３２１０)、メイン制御部１６０は受信されるプログラムを再生及び臨時記録領域Ｂ１に臨時記録するよう処理する(Ｓ３２２０)。
【０３９３】
Ｓ３２２０段階を詳述すれば、メイン制御部１６０は受信されるプログラムを視聴可能な信号で処理するようＭＰＥＧデコーダ１６３、オーディオＤ/Ａ変換部１３５及びビデオエンコーダ１３７を制御し、かつ受信されるプログラムを既に割当てられた臨時記録領域Ｂ１の所定記録開始位置から臨時記録するようハードディスクドライブ１５１を制御する。
【０３９４】
Ｓ３２２０段階において、受信されるプログラムが最初記録されるクラスタの位置、すなわち記録開始位置はルートディレクトリ領域１５１ｄに記録され、これによりＦＡＴ領域１５１ｂの状態情報も更新される。また、Ｓ３２２０段階において、受信されるプログラムは図７１に示されたメニュー画面によって選択された所定のバッファタイムほど臨時記録され、先入先出方式によって臨時記録される。
【０３９５】
Ｓ３２２０段階の実行中遠隔制御部２００に設けられた時間遅延再生キー(図示せず)が選択され初期再生要請命令が入力されれば(Ｓ３２３０)、メイン制御部１６０はＦＡＴ領域１５１ｂに記録された状態情報から臨時記録されたプログラムの記録開始位置を確認するようハードディスクドライブ１５１を制御する(Ｓ３２４０)。
【０３９６】
臨時記録されたプログラムの記録開始位置が確認されれば、メイン制御部１６０は確認された記録開始位置から臨時記録されたプログラムの映像/音響信号をＭＰＥＧデコーダ１６３に提供するようハードディスクドライブ１５１を制御し、プログラムの映像/音響信号が提供されれば再生可能な信号で処理してテレビ３００に提供するよう処理する(Ｓ３２５０)。
【０３９７】
一方、Ｓ３２３０段階後現在再生モードから他のモードへの転換要請命令が入力されれば(Ｓ３２６０)、メイン制御部１６０は転換されたモードに対するルーチンを実行するよう処理する(Ｓ３２７０)。
【０３９８】
一方、Ｓ３２２０段階において臨時記録されるプログラムの記録開始位置は臨時記録領域Ｂ１の初期記録位置、例えば'０'番地として認識される位置でありうる。このような場合、ユーザによって現在再生されるプログラムが変更される場合、変更されたプログラムは臨時記録領域Ｂ１の初期記録位置から臨時記録される。また、変更されたプログラムが変更以前のプログラムが最後に臨時記録された位置以降から臨時記録されるよう設定できることは勿論である。これはユーザのキー操作によって設定可能である。
【０３９９】
一方、Ｓ３２５０段階で臨時記録されたプログラムが最初から再生される場合も外部から実時間で受信されるプログラムは臨時記録領域Ｂ１に連続して臨時記録されるため、視聴者は外部から受信されるプログラムをＳ３２２０段階で臨時記録された所定時間ほど一定時間間隔を設けて遅延視聴できる。
【０４００】
例えば、図７１のようなメニュー画面でバッファタイムが"１時間"と既に設定された場合、Ｓ３２２０段階で所定プログラムが臨時記録された時点から３０分後に時間遅延再生キーが選択されれば、メイン制御部１６０は臨時記録された３０分分量のプログラムを再生してテレビ３００に提供する。これにより、視聴者は外部から受信されるプログラムを最大３０分遅れて視聴したり、またはキー入力部２６０、遠隔制御器２００などの操作によって再び現在プログラムを本来の放送時間に視聴できることは勿論である。
【０４０１】
前述したような映像記録/再生装置２００はユーザが所定のプログラムを視聴すれば、視聴中のプログラムが既に設定された臨時記録領域Ｂ１に自動で臨時記録されるようにすることで、別の操作なしに時間遅延視聴機能を行なえるようにする。
【０４０２】
また、前述したような映像記録/再生装置１００で臨時記録領域Ｂ１のバッファタイムは図７１のようなメニュー画面及び遠隔制御器２００を用いて所望の時に変更設定することができる。
【実施例１８】
【０４０３】
実施例１８は本発明に係る第１８の目的を具現するためのもので、以下ではＤＶＤプログラムをハードディスクドライブに複写する場合ＤＶＤプログラムのタイトル名を自動的にピックアップして、記録タイトル名をハードディスクドライブのユーザ領域に記録できる映像記録/再生装置及びその制御方法を添付した図７３ないし図７５を参照して説明する。
【０４０４】
図７３はＤＶＤディスクの一般のデータ構造を示した図であって、図面のようにＤＶＤディスク１５６は一般にリードイン(read  in)領域Ａ、システム領域Ｂ、ボリュームマネジメント(volumn  managment)領域Ｃ、多数個のファイル(Ｆ０ないしＦ９９)よりなるファイル領域Ｃ、リードアウト(read  out)領域Ｅよりなっている。この際、ファイル領域Ｄのファイル１(Ｆ１)ないしファイル９９(Ｆ９９)には実質的に映画やミュージックビデオなどが収録される。ＤＶＤディスクのファイル０(Ｆ０)はィスク情報ファイルとも呼ばれ、ＤＶＤディスクのファイル１(Ｆ１)ないしファイル９９(Ｆ９９)に収録されたデータに対する各種参照情報が収録される。特にディスク情報ファイル(Ｆ０)領域にはファイル１(Ｆ１)ないしファイル９９(Ｆ９９)に収録された画像データのうちＩ-フレームに該当する画像データの位置情報とＤＶＤタイトルに対する情報が収録されている。従って、ディスク情報ファイルＦ０に収録されたＩ-フレームに該当する画像データの位置情報を用いてディスクスキャンを行なえるようになる。
【０４０５】
このようなデータはＤＶＤの光ピックアップ装置(図示せず)がＤＶＤディスクのＴＯＣ(Table  Of  Contents)情報とディスク情報ファイルＦ０領域の情報を読み出してＭＰＥＧデコーダ１６３に伝送し、デコーディングされたディスク情報ファイルＦ０領域の情報を受信したメイン制御部１６０はディスク情報ファイルＦ０領域の情報を内部のメモリ(図示せず)に貯蔵する。この際ディスク情報ファイルＦ０領域の情報には前述したようにＤＶＤタイトルに対する情報が含まれていて判読される。
【０４０６】
以下、本発明の一実施例によるタイトル自動設定方法について図７４を参照して説明する。まず、ＤＶＤディスク１５６がディスクプレーヤ１５５に搭載されれば，ディスクプレーヤ１５５の光ピックアップ装置(図示せず)はディスクのＴＯＣ(Table  Of  Contents)情報とディスク情報ファイルＦ０領域の情報を読み出してメイン制御部１６０に提供する。ＭＰＥＧデコーダ１６３ではディスク情報ファイルＦ０領域の情報をデコーディングし、メイン制御部１６０はデコーディングされたディスク情報ファイルＦ０領域の情報を内部のメモリ(図示せず)に貯蔵する。この際ディスク情報ファイルＦ０領域の情報には前述したようにＤＶＤタイトルに対する情報が含まれている。
【０４０７】
その後、ディスクプレーヤ１５５はディスクに対する一般再生作業を行なう。ディスクプレーヤ１５５の一般再生遂行によってディスク１５６のファイル１(Ｆ１)ないしファイル９９(Ｆ９９)に収録された映像/音響信号が順次に読み出されてメイン制御部１６０に提供され、メイン制御部１６０は読み出された映像/音響信号に対するエンコーディング過程を経てスイッチング部１２３に出力する。
【０４０８】
メイン制御部１６０はスイッチング部１２３)が前記入力された信号をハードディスクドライブ１５１のタイムシフト機能のための臨時記録領域Ｂ１に録画しつつ，同時に外部に出力されるよう制御する。
【０４０９】
このようにディスクプレーヤ１５５の一般再生遂行途中遠隔制御器２００からＤＶＤ複写に該当するキー信号がメイン制御部１６０に提供されれば(Ｓ３３１０)、メイン制御部１６０はタイムシフト機能を中止し(Ｓ３３２０)、ハードディスクドライブ１５１の長期記録領域Ａに貯蔵し始める(Ｓ３３３０)。記録が進行しつつメイン制御部１６０はＤＶＤのディスク情報ファイル(Ｆ０)領域で現在再生されるＤＶＤタイトルに対する情報をピックアップしたかを判断して(Ｓ３３４０)、ピックアップされた場合はユーザデータ領域(User  Data)にＤＶＤタイトル名を記録した後、ハードディスクドライブ１５１のルートディレクト(Root  Directory)領域１５１ｄに前記ユーザデータを記録する(Ｓ３３５０)。前記段階でピックアップされない場合はピックアップされるまでその過程を繰り返す。
【０４１０】
段階３３５０以降、複写を継続していてから複写を停止せよとのキー信号が入力されれば(Ｓ３３６０)、メイン制御部１６０はハードディスクドライブ１５１の長期記録領域Ａに記録した動作を中断し、再び臨時記録領域Ｂ１にタイムシフト機能のための録画を開始しつつ同時に外部に出力して視聴を可能にする（Ｓ３３７０）。本実施例では複写を停止する前にＤＶＤタイトル名を記録したが、先に複写停止命令を入力された後長期記録領域Ａに貯蔵していた動作を中断し、ＤＶＤタイトル名を記録した後再び臨時記録領域Ｂ１にタイムシフト(Time  Shift)機能のための録画を開始することができる。
【０４１１】
以下、前述したように貯蔵されたタイトルをユーザが画面にディスプレイする過程を、図７５を参照して簡略に説明する。図７５は図６に示されたプログラムリストが選択された時、テレビ３００の画面にディスプレイされるメニュー画面を示す図である。
【０４１２】
示されたプログラムリストメニューはハードディスクドライブ１５１に貯蔵されたプログラムに対応するアイコンメニュー４２１-１、各アイコン４２１-２〜４２１-５に対応するプログラムの名称を示すタイトル表示部(Title)４２１-６、各プログラムがハードディスクドライブ１５１に貯蔵された時間を示す時間表示部(Date)４２１-７、及び各プログラムの再生時間を示す再生時間表示部(Length)４２１-８を有する。それぞれのアイコン４２１-２〜４２１-５はハードディスクドライブ１５１に貯蔵されたＭＰＥＧフォーマットを有する映像データの一番目開始フレーム、すなわちＩフレームがディスプレイされ、ハードディスクドライブ１５１に貯蔵されたプログラムの開始アドレスに対する情報を有する。また、タイトル表示部(Title)４２１-６はユーザがプログラムリストを選択した時メイン制御部１６０がハードディスクドライブ１５１のルートディレクトリ(Root  Directory)領域１５１ｄに記録されたタイトルを呼出して表示する。
【実施例１９】
【０４１３】
実施例１９は本発明による第１９の目的を具現するためのもので、以下、受信された映像/音響信号をハードディスクドライブ内の分割された記憶領域に貯蔵し、該貯蔵された映像/音響信号の容量及び記憶領域の残量をディスプレイできる映像記録/再生装置及びその制御方法を添付した図７６ないし図７９を参照して説明する。
【０４１４】
図７６は本発明によって分割されたハードディスクドライブ１５１を示す。前記ハードディスクドライブ１５１は動映像ファイル記憶領域１５１-１、絵ファイル記憶領域１５１-３、及びサウンドファイル記憶領域１５１-４に分割されたことと示されている。しかし、前記分割はその他の属性を有するファイルが付加される場合、さらに細分され分割されうる。また、動映像ファイル記憶領域１５１-１はその中にバッファ領域１５１-２を含める。動映像ファイル記憶領域１５１-１、絵ファイル記憶領域１５１-３、サウンドファイル記憶領域１５１-４、及びバッファ領域１５１-２はポインター１５１-５で指定され分割される。 
動映像ファイル記憶領域１５１-１は動映像ファイル貯蔵命令が入力される場合、動映像ファイルを貯蔵するハードディスクドライブ内の分割された領域である。絵ファイル記憶領域１５１-３は絵ファイル貯蔵命令が入力される場合、絵ファイルを貯蔵するハードディスクドライブ内の分割された領域である。そして、サウンドファイル記憶領域１５１-４はサウンドファイル貯蔵命令が入力される場合、サウンドファイルを貯蔵するハードディスクドライブ内の分割された領域である。
【０４１５】
図７７Ａは貯蔵された絵及びサウンドファイルの容量及び分割された記憶領域の残量がディスプレイされる貯蔵モード(copy  mode)画面を示す。貯蔵命令(例えばコピー、４３０-１)を入力すれば絵及びサウンドファイルが絵及びサウンドファイルに割当てられた記憶領域に貯蔵される。そして、後で貯蔵モードに再び進入すれば、今まで割当てられた記憶領域に貯蔵されたファイルの容量(used)及び分割された記憶領域の残量(free)が計算されディスプレイされる。これは図７７Ａのように、グラフ４３０−６で表現できる。
【０４１６】
例えば、図７７ＡのＭＰ３ファイル４３０-３を選択すれば、前記ＭＰ３ファイルの属性４３０-３がサウンドファイルなので、サウンドファイルに割当てられた全体記憶領域について、貯蔵されたファイルの容量及び分割された記憶領域の残量をそれぞれ分離して表示する。また、もし属性が絵ファイルであるフォトファイル４３０-５を選択すれば、絵ファイルに割当てられた全体記憶領域について、貯蔵された絵ファイルの容量及び分割された記憶領域の残量をそれぞれ分離して表示する。
【０４１７】
図７７ＡのMP3＋PHOTOファイル４３０-４を選択した場合は、前記ファイルの属性はサウンドファイルと絵ファイルの属性が複合された場合なので、全体サウンドファイル及び絵ファイルの記憶領域について、貯蔵されたファイルの容量及び分割された記憶領域の残量を表示する。
【０４１８】
図７７Ｂは貯蔵された動映像ファイルの容量及び分割された記憶領域の残量が表示されるディスプレイ画面を示す図である。動映像ファイル貯蔵命令が入力されれば、動映像ファイルは動映像ファイル貯蔵領域に貯蔵される。そして、後でディスプレイ命令が入力されれば、図７７Ｂのように動映像ファイルに割当てられた記憶領域を全体として見て、貯蔵された動映像ファイルの容量及び分割された記憶領域の残量を時間またはデータ量で計算して示したグラフ４３１-３がディスプレイされる。図７７Ｂを参照すれば、動映像ファイルに割当てられた全体記憶領域が２０時間３０分(４３１-２)であり、貯蔵された動映像ファイルの容量が１５時間(４３１-１)であることと表示されディスプレイされている。
【０４１９】
図７８は本発明によって動映像ファイルをハードディスクドライブに貯蔵して、貯蔵されたファイルの容量及び分割された記憶領域の残量をディスプレイする過程を示すフローチャートである。まず、外部入力によって映像記録/再生装置に貯蔵命令(例えば、ＲＥＣ)が入力される場合(Ｓ３４１１)、動映像ファイルを貯蔵するようポインターで指定され割当てられたハードディスクドライブの動映像ファイル貯蔵領域に前記動映像ファイルが貯蔵される(Ｓ３４１２)。そして、後でディスプレイ命令が入力されれば(Ｓ３４１３)、貯蔵された動映像ファイルの容量及び分割された記憶領域の残量を時間またはデータ単位に計算してディスプレイする(Ｓ３４１４)。 
図７９は本発明によって絵及びサウンドファイルをハードディスクドライブに貯蔵して、貯蔵されたファイルの容量及び分割された記憶領域の残量をディスプレイする過程を示すフローチャートである。まず、外部入力によって映像記録/再生装置１００に貯蔵命令(例えば、コピー)が入力される場合(Ｓ３４２１)、前記絵及びサウンドファイルを貯蔵するようポインターで指定され割当てられたハードディスクドライブ１５１の絵及びサウンドファイル貯蔵領域に前記絵及びサウンドファイルが貯蔵される(Ｓ３４２２)。そして、後で貯蔵モード(copy  mode)に進入すれば(Ｓ３４２３)、時間に換算されたりデータの単位に換算された貯蔵された絵及びサウンドファイルの容量及び分割された記憶領域の残量を計算してディスプレイする(Ｓ３４２４)。
【０４２０】
この場合、絵ファイル、サウンドファイルは前述したように互いに区別されず貯蔵及びディスプレイでき、それぞれ区別され貯蔵及びディスプレイでき、絵及びサウンドが複合されたファイルの場合もこれを別に区分したり、前記絵ファイル及びサウンドファイルの貯蔵及びディスプレイ場合のように区別せず共に貯蔵及びディスプレイすることもできる。
【０４２１】
前記図７８及び図７９を参照すれば、動映像ファイル、絵ファイル、及びサウンドファイル以外のファイルをハードディスクドライブ１５１に貯蔵して、ファイルの容量及び分割された記憶領域の残量をディスプレイする過程の場合にも同一にまたは多少の修正を加えて適用することが可能であろう。
【実施例２０】
【０４２２】
実施例２０は本発明に係る第２０の目的を具現するためのもので、以下では本発明に係るメモリに貯蔵されている停止されたアイコンを用いて動くアニメーション効果を導出できる映像記録/再生装置及びその制御方法を添付した図８０及び図８１を参照して説明する。
【０４２３】
本実施例によればハードディスクドライブ１５１は映像/音響信号が貯蔵され、またアイコンに対するイメージデータを貯蔵している。メイン制御部１６０はハードディスクドライブ１５１にアイコンに対するイメージデータを貯蔵したり読み出す機能を行なう。またメイン制御部１６０は遠隔制御器２００の入力を通してハードディスクドライブ１５１に貯蔵されたアイコンデータを読み出してテレビ３００にディスプレイするよう制御する。このため、遠隔制御器２００にはシステムを動作させるための複数個のキーとアイコンを貯蔵し選択しムービングアイコン(Moving  Icon)機能を行なうためのキーなどが具備される。
【０４２４】
以下、本明細書ではムービングアイコンと関連するキーとして、ムービングアイコン機能選択キーと時間指定キーなどを具備したことと説明する(図示せず)。
フラッシュメモリ(Flash  Memory)１６５にはハードディスクドライブ１５１に貯蔵されている各アイコンと連携されたアドレスが貯蔵されている。また、ハードディスクドライブ１５１のアドレスのようなリンクリスト情報(Linked  List情報)も貯蔵され、アニメーションを実行するための時間間隔やアイコンの個数なども共に貯蔵することができる。
【０４２５】
図８０は本発明の一実施例によるムービングアイコン表示方法を説明するためのフローチャートである。
【０４２６】
ユーザが遠隔制御器２００を使用してムービングアイコン機能を選択すれば、メイン制御部１６０はユーザが選択したアイコンデータをデータ管理部１５７を介してハードディスクドライブ１５１やＣＤ(図示せず)に貯蔵する(段階３５１０)。また、メイン制御部１６０は前記段階３５１０においてアイコンが貯蔵されているハードディスクドライブ１５１のアドレスのようなリンク情報(Linked  List情報)をフラッシュメモリ１６５に貯蔵する(段階３５２０)。この際、アニメーションを実行するための時間間隔やアイコンの個数なども共に貯蔵することができる。これは、大容量のイメージファイルとアドレスを別に分離貯蔵することによってメモリを効率よく管理するためのものである。前記段階３５１０と３５２０ではユーザがムービングアイコン機能を選択するためハードディスクドライブ１５１に直接にアイコンを選択して貯蔵することとなっているが、ムービングアイコンはハードディスクドライブ１５１に既に設定貯蔵されているようにして前記選択過程を省略することもできる。さらに望ましくは、ユーザがムービングアイコンに使用されるアイコンを容易く決定できるようメイン制御部１６０がムービングアイコン設定キー入力を受ければフラッシュメモリ１６５のＧＩＩ貯蔵部１６５ａを通してハードディスクドライブ１５１に貯蔵されている全てのアイコンをディスプレイすることもできる。
【０４２７】
前述したようにムービングアイコンに使用されるアイコンを設定してメモリに貯蔵した後、メイン制御部１６０はユーザがムービングアイコンキーを入力したかを判断する(段階３５３０)。段階３５３０でユーザがムービングアイコンを選択したならば、メイン制御部１６０はフラッシュメモリ１６５に貯蔵されているムービングアイコンと関連するリンク情報であるハードディスクドライブアドレスを読取って(段階３５４０)、ハードディスクドライブ１５１に貯蔵されている第１アイコンを読み出し(段階３５５０)、テレビ３００の特定位置にディスプレイするよう入出力制御部１２５を制御する(段階３５６０)。また、メイン制御部１６０は第１アイコンがディスプレイされた時間とフラッシュメモリ１６５に貯蔵された第１アイコンのアニメーション実行時間間隔とを比較する(段階３５７０)。段階３５７０で第１アイコンのディスプレイされた時間がアニメーション実行時間間隔を経過したことと判断されれば、ムービングアイコン終了キーが入力されたかを判断する(段階３５８０)。望ましくは、前記段階３５７０でディスプレイされる所定時間はユーザがムービングアイコン選択キーを選択した時、メイン制御部１６０がフラッシュメモリ１６５のＧＵＩ貯蔵部１６５ａを介してディスプレイできる時間をユーザが選択できるようにすることができる。ユーザが選択したアイコンの種類に応じてそのディスプレイされる時間を選択できるようにすれば、あるゆる形態のアニメーションを作ることができるため便利なものである。段階３５８０で一定時間経過した後ムービングアイコン終了キーが入力されなければ、メイン制御部１６０はフラッシュメモリ１６５に貯蔵されている第２アイコンを選択するようになる(段階３５９０)。
【０４２８】
段階３５９０において第２アイコンが選択されれば、メイン制御部１６０は段階３５４０ないし段階３５８０を繰り返すようになる。この際、第２アイコンのディスプレイ位置は第１アイコンのディスプレイ位置と同一にすれば少数のアイコンで容易くアニメーション効果が得られる。すなわち、図８１のように第１アイコンを画面にディスプレイし、数秒内に第２アイコンを第１アイコンをディスプレイした同一位置に重ねて散らす過程を反復遂行すれば単純にメモリに貯蔵されている停止されたアイコンを用いて動くアニメーション効果が得られる。また、アニメーションを実行するアイコンの個数と所定のアイコンを指定できるようにして、一定した時間が経過する毎に他の種類のアイコンを用いてさらに他のアニメーション効果を奏でるようにすれば便利である。前記段階３５８０においてムービングアイコン終了キーが入力されれば、メイン制御部１６０は本発明と関わるムービングアイコン機能を終了するようになる。
【実施例２１】
【０４２９】
実施例２１は本発明に係る第２１の目的を具現するためのもので、以下では第１ファイルを選択してメモリに貯蔵及び画面に表示し実行し、引き続き第２ファイルを選択してメモリに貯蔵及び画面に表示し実行する映像記録/再生装置及びその制御方法を添付した図８２Ａないし図８４を参照して説明する。
【０４３０】
図８２ＡはＣＰＵ１６１内のデータメモリで選択されたファイルが先入先出(first-in  first-out)方式でＦＩＦＯメモリ１６２に第１ファイル１６２-１が貯蔵されることを、図８２Ｂは引き続き第２ファイル１６２-２が貯蔵されることを示す。このような機能を果たすＦＩＦＯメモリ１６２は、望ましくはメイン制御部１６０内に具備されうる。示した通り、ＣＰＵ１６１内のデータメモリで選択された第１ファイル１６２-１がＦＩＦＯメモリ１６２に貯蔵され、さらに選択された第２ファイル１６２-２がデータメモリでＦＩＦＯメモリ１６２の残り領域に順序通り貯蔵される。ＦＩＦＯメモリ１６２の貯蔵領域が全て満される場合、先に貯蔵されたファイルから順次にＦＩＦＯメモリ１６２を抜け出るようになる。詳細には、第１ファイルＡ、Ｄ、Ｇ、及びＨ(１６２-１)が選択されれば、これらがＦＩＦＯメモリ１６２に貯蔵され、引き続き第２ファイルａ、ｅ、及びｆ(１６２-２)が選択されれば、これらもＦＩＦＯメモリ１６２に貯蔵される。但し、先入先出方式なのでＦＩＦＯメモリ１６２に先に入ってきたファイルＡ、Ｄ、Ｇ、及びＨ(１６２-１)がファイルａ、ｅ、及びｆ(１６２-２)に先行してＦＩＦＯメモリ１６２から抜け出る。
【０４３１】
図８３Ａないし図８３Ｄは第１ファイルが選択されディスプレイされ、引き続き第２ファイルが選択されさらにディスプレイされることを示す。これは図８３Ａ及び図８３ＢのＦＩＦＯメモリにおけるファイル貯蔵が画面上でどのように具現されるのかを示す。
【０４３２】
まず、第１フォルダー内に存する少なくとも一つの第１ファイルを選択すれば、選択されたファイルの左側に選択表示４７０が現れる。このような選択表示４７０はファイルの左側でなく他の箇所に表示されうることは勿論である。ここでは第１ファイルとしてファイルＡ、Ｄ、Ｇ、及びＨが選択されたことが分かる(図８３Ａ)。これを実行させれば、プレイリスト画面がディスプレイされながら前記第１ファイルがユーザの調整によって順序通りまたはランダムに行なわれる(図８３Ｂ)。引き続き他の位置、すなわち第２フォルダー、または他の媒体に貯蔵された少なくとも一つの第２ファイルを選択すれば、選択されたファイルの左側に選択表示が現われる(図８３Ｃ参照)。前述したように、このような表示はファイルの左側ではなく他の箇所に表示されうることは勿論である。ここでは第２ファイルとしてファイルａ、ｅ、ｆが選択されたことが分かる(図８３Ｃ)。これを実行させるとプレイリスト画面が再びディスプレイされながら前記第１ファイルに第２ファイルがさらにディスプレイされ、前記第１ファイル及び前記第２ファイルがユーザの調整によって順序通りまたはランダムに実行される(図８３Ｄ)。
【０４３３】
以下、添付した図面に基づき本発明の望ましい実施例によるファイルのリストをディスプレイできる映像及び音声記録/再生方法についてさらに詳述する。図８４は本発明によって第１ファイルを選択及びディスプレイし、引き続き第２ファイルを前記第１ファイルに追加して選択及びディスプレイする過程を示すフローチャートである。
【０４３４】
第１フォルダー内に存する第１ファイルを選択すれば(Ｓ３６１０)、スタックメモリはこれを貯蔵する(Ｓ３６２０)。貯蔵された第１ファイルを実行する命令が入力されれば(Ｓ３６３０)、前記第１ファイルをプレイリストにディスプレイしつつ実行する(Ｓ３６４０)。その後、ファイル追加選択命令が入力される場合(Ｓ３６５０)、第２フォルダーまたは他の媒体に存する第２ファイルを選択し(Ｓ３６６０)、これをスタックメモリに貯蔵する(Ｓ３６７０)。貯蔵された第２ファイルを行なう命令が入力されれば(Ｓ３６８０)、貯蔵された第２ファイルをプレイリストにさらにディスプレイしつつ実行する(Ｓ３６９０)。
【０４３５】
以上では本発明の望ましい実施例について示しかつ説明したが、本発明は前述した特定の実施例に限らず、請求の範囲で請求する本発明の要旨を逸脱せず当該発明の属する技術分野において通常の知識を持つ者によって多様な変形実施が可能なことは勿論、このような変形実施は本発明の技術的思想や展望から個別的に理解されてはいけない。
【産業上の利用可能性】
【０４３６】
本発明は映像記録/再生装置及びその制御方法に係り、さらに詳しくは記録媒体に映像ファイルを記録したり、記録媒体に記録された映像ファイルを再生及び編集する機能を提供する映像記録/再生装置において、メニュー画面を用いてユーザがその機能を容易く選択し操作できるようにし、ユーザが選択した機能によって映像ファイルを記録、再生及び編集する映像記録/再生装置及びその制御方法を提供する。
【図面の簡単な説明】
【０４３７】
【図１】本発明に係る映像記録/再生装置が適用されるディスプレイシステムを示す図である。
【図２】図１の映像記録/再生装置のブロック図である。
【図３】図２のＨＤＤの貯蔵空間の分割例を示す図である。
【図４】図１の遠隔制御器を示す図である。
【図５】図４のメニューキーが選択された時、テレビに表示される初期メニュー画面を示す図である。
【図６】Digital  Recorderメニュー項目のサブメニュー画面を示す図である。
【図７】Editメニュー項目のサブメニュー画面を示す図である。
【図８】Juke  Boxメニュー項目のサブメニュー画面を示す図である。
【図９】Photo  Albumメニュー項目のサブメニュー画面を示す図である。
【図１０】図６に示されたProgram  Listメニュー項目を選択した場合にテレビに表示されるメニュー画面を示す図である。
【図１１】図８に示されたHDD  Playlistメニュー項目を選択した場合にテレビに表示されるメニュー画面を示す図である。
【図１２】図１１に示されたMP３フォルダーを選択した場合にテレビに表示されるメニュー画面を示す図である。
【図１３】本発明の第１実施例による、ランダムアクセスが可能な映像記録/再生装置の制御方法の説明に提供されるフローチャートである。
【図１４】本発明の第１実施例による、ランダムアクセスが可能な映像記録/再生装置の制御方法の説明に提供されるフローチャートである。
【図１５】図１０のメニュー画面が表示された時、図４のテキストキーを選択した場合にテレビに表示されるメニュー画面を示す図である。
【図１６】図１５の仮想入力メニューの入力ウィンドウに修正ファイル名を入力した場合を示す図である。
【図１７】ファイル名の修正による結果を示す図である。
【図１８】図８に示されたHDD  Editメニュー項目を選択した場合にテレビに表示されるメニュー画面を示す図である。
【図１９】本発明の第２実施例による、記録媒体に記録された映像ファイルのファイル名を修正できる映像記録/再生装置の制御方法の説明に提供されるフローチャートである。
【図２０】本発明の第３実施例による、記録媒体に記録された動映像ファイルをファイルリスト画面上に動映像で再生して表示できる映像記録/再生装置の制御方法の説明に提供されるフローチャートである。
【図２１】図６に示されたProgram  Listメニュー項目を選択した場合にテレビに表示されるメニュー画面の他の例を示す図である。
【図２２】本発明の第４実施例による、記録媒体に記録された映像ファイルのファイルリストを表示するにあたって、映像ファイルの種類によるアイコンを共に表示できる映像記録/再生装置の制御方法の説明に提供されるフローチャートである。
【図２３】本発明の第５実施例による、記録媒体に記録された映像ファイルを貯蔵されている順序によって連続的に再生できる映像記録/再生装置の制御方法の説明に提供されるフローチャートである。
【図２４】Divideメニューの説明に提供される図である。
【図２５】Divideメニューの説明に提供される図である。
【図２６】Divideメニューの説明に提供される図である。
【図２７】Divideメニューの説明に提供される図である。
【図２８】Partial  Deleteメニューの説明に提供される図である。
【図２９】Partial  Deleteメニューの説明に提供される図である。
【図３０】部分削除される動映像ファイルを説明するための図である。
【図３１】本発明の第７実施例による、動映像ファイルについて部分削除の可能な映像記録/再生装置の制御方法の説明に提供されるフローチャートである。
【図３２】図８に示されたHDD  Playlistメニュー項目を選択した場合にテレビに表示されるメニュー画面の他の例を示す図である。
【図３３】図３２のBeatlesフォルダーが選択された時後続して表示されるメニュー画面を示す図である。
【図３４】図９に示めされたHDD  Playlistメニュー項目を選択した場合にテレビに表示されるメニュー画面を示す図である。
【図３５】図３４のFlowerフォルダーが選択された時後続して表示されるメニュー画面を示す図である。
【図３６】本発明の第８実施例による、映像ファイルが記録されたフォルダー名をユーザが容易に認知できるよう構図されたプレイリスト画面を提供する映像記録/再生装置の制御方法の説明に提供されるフローチャートである。
【図３７】図３２のBeatlesフォルダーが選択された時、後続して表示されるメニュー画面を示す図である。
【図３８】図３７のファイルリストで遠隔制御器を操作してカーソルが移動したファイルリストが表示されたメニュー画面を示す図である。
【図３９】図３７のファイルリストで遠隔制御器を操作してファイルリストの次頁が表示されたメニュー画面を示す図である。
【図４０】ファイルリストの最後頁が表示されたメニュー画面を示す図である。
【図４１】図３７のファイルリストを表示するための映像記録/再生装置のファイルリスト表示方法の説明に提供されるフローチャートである。
【図４２】本発明の第９実施例による、記録媒体に記録された映像ファイルのプレイリストを画面に表示し、表示されたプレイリストを用いて容易で迅速にファイルを選択できる映像記録/再生装置の制御方法の説明に提供されるフローチャートである。
【図４３】図８に示されたHDD  Playlistメニュー項目を選択した場合にテレビに表示されるメニュー画面の他の例を示す図である。
【図４４】図４３の音響ファイルリストのうち選曲された音響ファイルリストが表示されたメニュー画面を示す図である。
【図４５】図４４に示されたスライドショーメニューが選択された時後続して表示される周期設定メニューが表示されたメニュー画面を示す図である。
【図４６】フルスクリーンのスライドショーの説明に提供される図である。
【図４７】本発明の第１０実施例による、音楽ファイルが再生される間多様な静止画ファイルをディスプレイするスライドショー機能を有する映像記録/再生装置の制御方法の説明に提供されるフローチャートである。
【図４８】本発明の第１１実施例による、自動再生の可能なファイルが記録された記録媒体が挿入されればファイルの種類を問わず自動再生されるようにする自動再生が可能な映像記録/再生装置の制御方法の説明に提供されるフローチャートである。
【図４９】ディスクプレーヤにディスクが挿入された時、テレビに表示されるファイルリストメニュー画面を示す図である。
【図５０】ディスクプレーヤにディスクが挿入された時、テレビに表示される自動再生リストメニュー画面を示す図である。
【図５１】ディスクプレーヤにディスクが挿入される時、テレビに表示されるファイルリストメニュー画面のさらに他の例を示す図である。
【図５２】図８に示されたCD  Playlistメニュー項目を選択した場合にテレビに表示されるメニュー画面を示した図である。
【図５３】図８に示されたCD  Copy  to  HDDメニュー項目を選択した場合にテレビに表示されるメニュー画面を示す図である。
【図５４】図５３に示されたMP３フォルダーを選択した場合にテレビに表示されるメニュー画面を示す図である。
【図５５】図５４において複写対象ファイル及び複写メニューを選択した場合にテレビに表示されるメニュー画面を示した図である。
【図５６】図５５の実行メニューが選択され複写作業が行なわれる時、複写進行状態表示画面が表示されたメニュー画面を示す図である。
【図５７】複写進行中、ＨＤＤに複写対象ファイルと同一なファイルが存在する場合、ファイルを複写するか否かをユーザが選択できるようにするメッセージが表示されたメニュー画面を示す図である。
【図５８】図８に示されたCD  Copy  to  HDDメニュー項目を選択した場合にテレビに表示されるメニュー画面の他の例を示す図である。
【図５９】図５８に示されたＨＤＤの下位フォルダー及びＣＤの下位フォルダーが選択された時、後続して表示される音響ファイルリストが表示されたメニュー画面を示す図である。
【図６０】本発明の第１３実施例による、光記録媒体に記録されたファイルを大容量の磁気記録媒体で複写する時、同一ファイル名を有するファイルについてはスキップして複写できる映像記録/再生装置の制御方法の説明に提供されるフローチャートである。
【図６１】本発明の第１４実施例による、ＣＤ-ＤＡ規格を有するオーディオデータを圧縮貯蔵できる映像記録/再生装置の制御方法の説明に提供されるフローチャートである。
【図６２】図８に示されたCD  Copy  to  HDDメニュー項目を選択した場合にテレビに表示されるメニュー画面のさらに他の例を示す図である。
【図６３】図９に表示されたＨＤＤプレイリストメニュー項目を選択した場合にテレビに表示されるメニュー画面の他の例を示す図である。
【図６４】図６３に示された静止画ファイルリストのうち選択された静止画ファイルに対する静止映像が表示されたメニュー画面を示す図である。
【図６５】本発明の第１５実施例による、静止画ファイルを所定の表示領域に表示する場合、所定の表示領域の画面サイズに基づき静止映像の画面サイズを適応的に調整して表示できる映像記録/再生装置の制御方法の説明に提供されるフローチャートである。
【図６６】図４のメニューキーが選択される時、テレビに表示される初期メニュー画面の他の例を示した図である。
【図６７】図８に示されたHDD  Playlistメニュー項目を選択した場合にテレビに表示されるメニュー画面のさらに他の例を示す図である。
【図６８】図６７に示されたファイルリストのうち選択されたファイルに対するリストが表示されたメニュー画面を示す図である。
【図６９】本発明の第１６実施例による、ユーザが映像記録/再生装置で支援する機能を容易に選択及び操作できるようにするメニュー画面を提供する映像記録/再生装置の制御方法の説明に提供されるフローチャートである。
【図７０】図２に示されたハードディスクドライブの論理的な構造を概略的に示す図である。
【図７１】セットアップメニュー項目のサブメニュー画面を示す図である。
【図７２】図２のハードディスクドライブに臨時記録された映像/音響信号を再生するための方法を説明するためのフローチャートである。
【図７３】ＤＶＤディスクの一般のデータ構造を示す図である。
【図７４】本発明の一実施例によるタイトル自動設定方法を説明するためのフローチャートである。
【図７５】図６に示されたプログラムリストが選択された時画面にディスプレイされるメニュー画面を示す図である。
【図７６】本発明に係ってポインターで指定され分割されたハードディスクドライブを示す図である。
【図７７Ａ】絵及びサウンドファイルの容量及び分割された記憶領域の残量をディスプレイする図である。
【図７７Ｂ】動映像ファイルの容量及び分割された記憶領域の残量をディスプレイする図である。
【図７８】本発明による動映像の貯蔵された容量及び分割された記憶領域の残量をディスプレイする過程を説明するためのフローチャートである。
【図７９】本発明に係る絵及びサウンドファイルの貯蔵された容量及び分割された記憶領域の残量をディスプレイする過程を説明するためのフローチャートである。
【図８０】本発明の一実施例によるムービングアイコン表示方法を説明するためのフローチャートである。
【図８１】ムービングアイコン表示方法を行なう過程を説明するためのユーザインタフェースを示す図である。
【図８２Ａ】先入−先出メモリに第１ファイルが貯蔵され、引き続き第２ファイルが貯蔵されることを説明するための図である。
【図８２Ｂ】先入−先出メモリに第１ファイルが貯蔵され、引き続き第２ファイルが貯蔵されることを説明するための図である。
【図８３Ａ】第１ファイルが選択され貯蔵及びディスプレイされ、引き続き第２ファイルが選択され貯蔵及びディスプレイされることを説明するための図である。
【図８３Ｂ】第１ファイルが選択され貯蔵及びディスプレイされ、引き続き第２ファイルが選択され貯蔵及びディスプレイされることを説明するための図である。
【図８３Ｃ】第１ファイルが選択され貯蔵及びディスプレイされ、引き続き第２ファイルが選択され貯蔵及びディスプレイされることを説明するための図である。
【図８３Ｄ】第１ファイルが選択され貯蔵及びディスプレイされ、引き続き第２ファイルが選択され貯蔵及びディスプレイされることを説明するための図である。
【図８４】本発明によって第１ファイルを選択及びディスプレイし、引き続き第２ファイルを前記第１ファイルに追加して選択及びディスプレイする過程を説明するフローチャートである。
【符号の説明】
【０４３８】
１１０  入出力端子部
１２１  チューナ
１２３  スイッチング部
１２５  入出力制御部
１３１  ビデオデコーダ
１３３  オーディオＡ/Ｄ変換部
１３５  オーディオＤ/Ａ変換部
１４１  ＭＰＥＧエンコーダ
１５１  ＨＤＤ
１５５  ディスクプレーヤ
１５７  データ管理部
１６０  メイン制御部
１６１  フラッシュメモリ
１６３  ＭＰＥＧデコーダ
【図１】
2004215281.tif 000012
【図２】
2004215281.tif 000013
【図３】
2004215281.tif 000014
【図４】
2004215281.tif 000015
【図５】
2004215281.tif 000016
【図６】
2004215281.tif 000017
【図７】
2004215281.tif 000018
【図８】
2004215281.tif 000019
【図９】
2004215281.tif 000020
【図１０】
2004215281.tif 000021
【図１１】
2004215281.tif 000022
【図１２】
2004215281.tif 000023
【図１３】
2004215281.tif 000024
【図１４】
2004215281.tif 000025
【図１５】
2004215281.tif 000026
【図１６】
2004215281.tif 000027
【図１７】
2004215281.tif 000028
【図１８】
2004215281.tif 000029
【図１９】
2004215281.tif 000030
【図２０】
2004215281.tif 000031
【図２１】
2004215281.tif 000032
【図２２】
2004215281.tif 000033
【図２３】
2004215281.tif 000034
【図２４】
2004215281.tif 000035
【図２５】
2004215281.tif 000036
【図２６】
2004215281.tif 000037
【図２７】
2004215281.tif 000038
【図２８】
2004215281.tif 000039
【図２９】
2004215281.tif 000040
【図３０】
2004215281.tif 000041
【図３１】
2004215281.tif 000042
【図３２】
2004215281.tif 000043
【図３３】
2004215281.tif 000044
【図３４】
2004215281.tif 000045
【図３５】
2004215281.tif 000046
【図３６】
2004215281.tif 000047
【図３７】
2004215281.tif 000048
【図３８】
2004215281.tif 000049
【図３９】
2004215281.tif 000050
【図４０】
2004215281.tif 000051
【図４１】
2004215281.tif 000052
【図４２】
2004215281.tif 000053
【図４３】
2004215281.tif 000054
【図４４】
2004215281.tif 000055
【図４５】
2004215281.tif 000056
【図４６】
2004215281.tif 000057
【図４７】
2004215281.tif 000058
【図４８】
2004215281.tif 000059
【図４９】
2004215281.tif 000060
【図５０】
2004215281.tif 000061
【図５１】
2004215281.tif 000062
【図５２】
2004215281.tif 000063
【図５３】
2004215281.tif 000064
【図５４】
2004215281.tif 000065
【図５５】
2004215281.tif 000066
【図５６】
2004215281.tif 000067
【図５７】
2004215281.tif 000068
【図５８】
2004215281.tif 000069
【図５９】
2004215281.tif 000070
【図６０】
2004215281.tif 000071
【図６１】
2004215281.tif 000072
【図６２】
2004215281.tif 000073
【図６３】
2004215281.tif 000074
【図６４】
2004215281.tif 000075
【図６５】
2004215281.tif 000076
【図６６】
2004215281.tif 000077
【図６７】
2004215281.tif 000078
【図６８】
2004215281.tif 000079
【図６９】
2004215281.tif 000080
【図７０】
2004215281.tif 000081
【図７１】
2004215281.tif 000082
【図７２】
2004215281.tif 000083
【図７３】
2004215281.tif 000084
【図７４】
2004215281.tif 000085
【図７５】
2004215281.tif 000086
【図７６】
2004215281.tif 000087
【図７７Ａ】
2004215281.tif 000088
【図７７Ｂ】
2004215281.tif 000089
【図７８】
2004215281.tif 000090
【図７９】
2004215281.tif 000091
【図８０】
2004215281.tif 000092
【図８１】
2004215281.tif 000093
【図８２Ａ】
2004215281.tif 000094
【図８２Ｂ】
2004215281.tif 000095
【図８３Ａ】
2004215281.tif 000096
【図８３Ｂ】
2004215281.tif 000097
【図８３Ｃ】
2004215281.tif 000098
【図８３Ｄ】
2004215281.tif 000099
【図８４】
2004215281.tif 000100